(57)【要約】【解決手段】髪貫通遮蔽板２２０は、上面２８０と下面２９０とを有する歯配列を含む。いくつかの実施形態において、歯の大多数について、各歯の断面（例えば、三角形の断面）は、概して歯の上部付近でより狭く歯の下部付近でより広くなるような非対称の幅輪郭を有する。いくつかの実施形態において、ｉ）上下中間点より下の平均歯幅を表す第１の歯幅とｉｉ）上下中間点より上の平均歯幅を表す第２の歯幅との比は、少なくとも１．２、又は少なくとも１．６である。いくつかの実施形態において、非粘性染毛剤は、ユーザーの髪の歯の間の空間を通り抜ける髪の根元を染めるように遮蔽板の表面の上部の上に霧状に排出される。いくつかの実施形態において、髪貫通遮蔽板の、狭い間隔で配置された歯がユーザーの頭皮を非粘性染毛剤から保護する。関連する方法やキットが明細書に開示されている。【選択図】なし
2014501538.tif 000002
【特許請求の範囲】
【請求項１】
髪の根元を染める染毛装置であって、
ａ）髪貫通遮蔽板（２２０）と、
ｂ）前記髪貫通遮蔽板に連結された噴霧器アセンブリ（４００）とを備え、
前記髪貫通遮蔽板（２２０）は、上面（２８０）及び下面（２９０）と近位端（２２８）及び遠位端（２２４）とを有する歯配列を含み、該歯配列は狭い間隔で配置された少なくとも８の歯を含み、前記歯配列の歯の大多数について、
ｉ）前記大多数の各歯は主要部（３３０）と髪の貫通を容易にするための先細りの遠位部（２４０）とを有し、
ｉｉ）前記大多数の各歯の前記主要部（３３０）は少なくとも２．５ｃｍの長さを有するセクションを有し、該セクション内の歯軸に沿ったほとんどの位置について、
Ａ）各歯の断面は、概して各歯の上端（２４８）付近でより狭くなり、概して各歯の底部（２４６）付近でより広くなるような、遮蔽板厚さ軸（２７０）に沿った非対称の幅輪郭を有し、
Ｂ）前記各歯の断面は５ｍｍ＾２未満であり、
Ｃ）各歯は横に隣接する歯から隔てられて０．３ｍｍ〜１ｍｍの最小ギャップ距離（３７０）を設けており、
前記噴霧器アセンブリ（４００）は、前記遮蔽板の上面（２８０）より高い噴霧剤排出口を有し、前記下面より下の空間が前記髪貫通遮蔽板によって非粘性染毛剤から保護されるように、前記遮蔽板（２２０）の上面（２８０）に対し、前記歯配列によって規定される近位−遠位方向に霧状に前記非粘性染毛剤を排出する、染毛装置。
【請求項２】
各歯は、その上端（３５２）と底部（３６２）の中間にある上下中間点を有し、
前記歯配列の歯の大多数について及び前記セクション内の歯軸に沿ったほとんどの位置について、
ｉ）前記上下中間点より下の平均歯幅を表す第１の平均歯幅と
ｉｉ）前記上下中間点より上の平均歯幅を表す第２の平均歯幅と
の幅比は少なくとも１．２である、請求項１に記載の染毛装置。
【請求項３】
前記歯の大多数について及び前記歯軸に沿ったほとんどの位置について、前記幅比は少なくとも１．６である、請求項２に記載の染毛装置。
【請求項４】
前記歯の大多数について及び前記歯軸に沿ったほとんどの位置について、前記歯の断面は３ｍｍ＾２未満である、請求項１乃至３のいずれかに記載の染毛装置。
【請求項５】
前記歯の大多数について及び前記歯軸に沿ったほとんどの位置について、
ｉ）横に隣接する歯（Ｔ１）と（Ｔ２）の各対は、上下限を有する高さ範囲内にある前記横に隣接する歯の中間に歯間横空隙（３９０）を形成するように位置しており、
Ａ）前記上限は前記歯（Ｔ１）の上部（２４６）と前記歯（Ｔ２）の上部（２４６）のうちの低い方の高さであり、
Ｂ）前記下限は前記歯（Ｔ１）の下部（２４６）と前記歯（Ｔ２）の下部（２４６）のうちの高い方の高さであり、
ｉｉ）前記歯間空隙の断面は、概して前記歯間空隙（３９０）の上部付近でより広く、概して前記歯間空隙（３９０）の下部付近でより狭くなるような、前記遮蔽板厚さ軸（２７０）に沿った非対称の幅輪郭を有する、請求項１乃至４のいずれかに記載の染毛装置。
【請求項６】
ｉ）各空隙は、前記高さ範囲の上下限の中間である上下空隙中間高さレベルを有し、
ｉｉ）前記歯配列の歯の大多数について及び前記セクション内の歯軸に沿ったほとんどの位置について、
Ａ）前記上下空隙中間高さレベルより上の平均空隙幅を表す第１の平均空隙幅と
Ｂ）前記上下空隙中間高さレベルより下の平均空隙幅を表す第２の平均空隙幅と
の幅比は少なくとも１．２である、請求項１乃至５のいずれかに記載の染毛装置。
【請求項７】
前記歯配列は、狭い間隔で配置された少なくとも１４の歯を含む、請求項１乃至６のいずれかに記載の染毛装置。
【請求項８】
髪の根元を染める染毛装置であって、
ａ）髪貫通遮蔽板（２２０）と、
ｂ）前記髪貫通遮蔽板に連結された噴霧器アセンブリ（４００）とを備え、
前記髪貫通遮蔽板（２２０）は、上面（２８０）と下面（２９０）とを有し、その遠位端に複数の細長い先細りの貫通部を含み、近位−遠位方向に概ね並び且つ遮蔽板の厚さにわたって横断する少なくとも８の細長くて狭い溝（４８０）を有する溝配列を含み、且つ少なくとも２．５ｃｍの縦セクションを有し、
ｉ）前記溝配列の溝の大多数について、各溝は前記縦セクションの大部分にわたって遮蔽板厚さ横断特性を示し、
ｉｉ）溝配列全体の平均の断面最小溝幅は０．３ｍｍ〜１ｍｍであり、かつ／又は前記溝配列の溝の大多数について、各溝は前記縦サブセクションの大部分にわたって０．３ｍｍ〜１ｍｍの断面最小溝幅を示し、
ｉｉｉ）前記溝配列の溝の大多数について、前記縦セクション内の溝アスペクト比は少なくとも３０であり、該溝アスペクト比は前記セクション内の溝の長さと前記縦セクションにわたって平均した個別の溝の縦平均断面最小溝幅との比によって規定され、
ｉｖ）前記縦セクション内の溝配列全体の平均の溝間横距離は最大３ｍｍであり、かつ／又は最大で前記縦セクション内の溝配列全体の平均の断面最小溝幅の３倍に等しい値であり、
前記噴霧器アセンブリ（４００）は、前記遮蔽板の上面２８０より高い噴霧剤排出口を有し、前記下面より下の空間が前記髪貫通遮蔽板によって非粘性染毛剤から保護されるように、前記遮蔽板（２２０）の上面（２８０）に対し、歯の配列によって規定される近位−遠位方向に前記非粘性染毛剤を霧状に排出する、染毛装置。
【請求項９】
前記溝の大多数のそれぞれについて及び前記縦セクション内のほとんどの縦位置について、各溝は、その厚さが前記遮蔽板の上面（２８０）付近より遮蔽板の下面（２９０）付近において狭くなるような、前記遮蔽板厚さ軸（２７０）に沿った非対称の幅輪郭を示す、請求項８に記載の装置。
【請求項１０】
前記溝配列の最初と最後の溝によって横方向が規定され且つ前記縦セクション内にある領域の大部分について、１ｍｍの地形的長さスケールで前記上面（２８０）は前記下面（２９０）に比べて粗い、請求項８及び９のいずれかに記載の装置。
【請求項１１】
前記溝配列は、少なくとも１４の、細長い、遮蔽板の厚さにわたって横断する狭い溝（４８０）を有する、請求項８乃至１０のいずれかに記載の染毛装置。  
【請求項１２】
髪の根元を染める染毛装置であって、
ａ）髪貫通遮蔽板（２２０）と、
ｂ）前記髪貫通遮蔽板に連結された噴霧器アセンブリ（４００）とを備え、
前記髪貫通遮蔽板（２２０）は、上面（２８０）及び下面（２９０）と近位端（２２８）及び遠位端（２２４）とを有する歯配列を含み、該歯配列は狭い間隔で配置された少なくとも８の歯を有し、前記歯配列の歯の大多数について、
ｉ）前記大多数の各歯は主要部（３３０）と髪貫通を容易にするための先細りの遠位部（２４０）とを有し、
ｉｉ）前記大多数の各歯は少なくとも２．５ｃｍの長さを有する縦セクションを有し、該縦セクションにおいて、
Ａ）前記セクション内の歯のアスペクト比は少なくとも２０であり、該歯のアスペクト比は前記セクション内の歯の長さと前記セクション内の縦に平均した歯の断面の平方根との比によって規定され、
Ｂ）前記歯の縦セクション内のほとんどの位置について、歯の断面は５ｍｍ＾２未満であり、
Ｃ）前記縦セクション内のほとんどの位置について、各歯は横に隣接する歯から隔てられて０．３ｍｍ〜１ｍｍの最小ギャップ距離（３７０）を設けており、
前記噴霧器アセンブリ（４００）は、前記遮蔽板の上面より高い噴霧剤排出口を有し、前記下面より下の空間が前記髪貫通遮蔽板によって非粘性染毛剤から保護されるように、前記遮蔽板（２２０）の上面（２８０）に対し、前記歯配列によって規定される近位−遠位方向に霧状に前記非粘性染毛剤を排出する、染毛装置。
【請求項１３】
前記歯配列は、狭い間隔で配置された少なくとも１４の歯を有する、請求項１２に記載の染毛装置。
【請求項１４】
髪の根元を染める染毛装置であって、
ａ）髪貫通遮蔽板（２２０）と、
ｂ）前記髪貫通遮蔽板に連結された噴霧器アセンブリ（４００）とを備え、
前記髪貫通遮蔽板（２２０）は、上面（２８０）及び下面（２９０）と近位端（２２８）及び遠位端（２２４）とを有する歯配列を含み、該歯配列は狭い間隔で配置された少なくとも８の歯を含み、前記歯配列の歯の大多数について、
ｉ）前記大多数の各歯は主要部（３３０）と髪貫通を容易にするための先細りの遠位部（２４０）とを有し、
ｉｉ）前記大多数の各歯は少なくとも２．５ｃｍの長さを有する縦セクションを有し、該縦セクションにおいて、
Ａ）前記歯の縦セクション内のほとんどの位置について、歯の断面は５ｍｍ＾２未満であり、
Ｂ）各歯は横に隣接する歯から隔てられて最小ギャップ距離（３７０）を設けており、前記歯の縦セクションの長さと前記横に隣接する歯との縦平均の最小ギャップ距離との比は少なくとも３０であり、前記最小ギャップ距離（３７０）は前記縦セクション内のほとんどの位置について０．３ｍｍ〜１ｍｍであり、
前記噴霧器アセンブリ（４００）は、前記遮蔽板の上面（２８０）より高い噴霧剤排出口を有し、前記下面より下の空間が前記髪貫通遮蔽板によって非粘性染毛剤から保護されるように、前記遮蔽板（２２０）の上面（２８０）に対し、前記歯の配列によって規定される近位−遠位方向に霧状に前記非粘性染毛剤を排出する、染毛装置。
【請求項１５】
前記歯配列は狭い間隔で配置された少なくとも１４の歯を有する、請求項１４に記載の染毛装置。
【請求項１６】
髪の根元を染める染毛装置であって、
ａ）髪貫通遮蔽板（２２０）と、
ｂ）前記髪貫通遮蔽板に連結された噴霧器アセンブリ（４００）とを備え、
前記髪貫通遮蔽板（２２０）は、上面（２８０）及び下面（２９０）と近位端（２２８）及び遠位端（２２４）とを有する歯配列を含み、該歯配列は狭い間隔で配置された少なくとも８の歯を含み、前記歯配列の歯の大多数について、
ｉ）前記大多数の各歯は主要部（３３０）と髪貫通を容易にするための先細りの遠位部（２４０）とを有し、
ｉｉ）前記大多数の各歯の前記主要部（３３０）は少なくとも２．５ｃｍの長さを有するセクションを有し、該セクション内の歯軸に沿ったほとんどの位置について、
Ａ）歯の断面は概ね三角の形状を有し、該概ね三角の形状は前記遮蔽板厚さ軸（２７０）に沿って上方を指し、
Ｂ）前記歯の断面は５ｍｍ＾２未満であり、
前記噴霧器アセンブリ（４００）は、前記遮蔽板の上面（２８０）より高い噴霧剤排出口を有し、前記下面より下の空間が前記髪貫通遮蔽板によって非粘性染毛剤から保護されるように、前記遮蔽板（２２０）の上面（２８０）に対し、前記歯配列によって規定される近位−遠位方向に霧状に前記非粘性染毛剤を排出する、染毛装置。
【請求項１７】
前記歯の大多数について及び前記セクション内の歯軸に沿ったほとんどの位置について、前記上面（２８０）と下面（２９０）とは地形において異なり、前記上面は横方向に比較的凹凸が多く、前記下面は横方向に比較的滑らかである、請求項１乃至７、１２乃至１６のいずれかに記載の染毛装置。
【請求項１８】
前記上面は横方向に波打っている、かつ／又は前記歯軸に直交する方向に波打っている、請求項１乃至７、１２乃至１７のいずれかに記載の染毛装置。
【請求項１９】
髪の根元を染めるのに有用な髪貫通遮蔽板であって、
上面（２８０）及び下面（２９０）と近位端（２２８）及び遠位端（２２４）とを有する歯配列であって、狭い間隔で配置された少なくとも８の歯を備える歯配列を含み、
前記歯の大多数について、
ｉ）各歯は主要部（３３０）と髪の貫通を容易にするための先細りの遠位部（２４０）とを有し、
ｉｉ）各歯の前記主要部（３３０）は少なくとも２．５ｃｍの長さを有するセクションを有し、
該セクション内の歯軸に沿ったほとんどの位置について、
Ａ）各歯の断面は、概して前記歯の上端（２４８）付近でより狭くなり概して前記歯の底部（２４６）付近でより広くなるような、遮蔽板厚さ軸（２７０）に沿った非対称の幅輪郭を有し、
Ｂ）前記歯の断面は５ｍｍ＾２未満であり、
Ｃ）各歯は横に隣接する歯から隔てられて０．３ｍｍ〜１ｍｍの最小ギャップ距離（３７０）を設けている、髪貫通遮蔽板。
【請求項２０】
髪の根元を染めるのに有用な髪貫通遮蔽板であって、該遮蔽板（２２０）は上面（２８０）と下面（２９０）とを有し、前記遮蔽板の遠位端に位置する複数の細長い先細りの貫通部を備え、近位−遠位方向に概ね並んだ少なくとも８の、細長い、遮蔽板の厚さにわたって横断する狭い溝（４８０）を有する溝配列を含み、少なくとも２．５ｃｍの縦セクションを有し、
該縦セクションにおいて、
ｉ）前記溝配列の溝の大多数はそれぞれ、前記縦セクションの大部分にわたって遮蔽板厚さ横断特性を示し、
ｉｉ）溝配列全体の平均の断面最小溝幅は０．３ｍｍ〜１ｍｍであり、かつ／又は前記溝配列の溝の大多数はそれぞれ、前記縦サブセクションの大部分にわたって０．３ｍｍ〜１ｍｍの断面最小溝幅を示し、
ｉｉｉ）前記溝配列の溝の大多数について、前記縦セクション内の溝アスペクト比は少なくとも３０であり、該溝アスペクト比は、前記セクション内の溝の長さと前記縦セクションにわたって平均した個別の溝の縦平均断面最小溝幅との比によって規定され、
ｉｖ）前記縦セクション内の溝配列全体の平均の溝間横距離は最大３ｍｍであり、かつ／又は最大で前記縦セクション内の溝配列全体の平均の断面最小溝幅の３倍に等しい値である、髪貫通遮蔽板。
【請求項２１】
髪の根元を染めるのに有用な髪貫通遮蔽板（２２０）であって、
上面（２８０）及び下面（２９０）と近位端（２２８）及び遠位端（２２４）とを有する歯配列であって、狭い間隔で配置された少なくとも８の歯を備える歯配列を含み、
該歯配列の歯の大多数について、
ｉ）前記大多数の各歯は主要部（３３０）と髪貫通を容易にするための先細りの遠位部（２４０）とを有し、
ｉｉ）前記大多数の各歯は少なくとも２．５ｃｍの長さを有する縦セクションを有し、
該縦セクションにおいて、
Ａ）前記セクション内の歯のアスペクト比は少なくとも２０であり、該歯のアスペクト比は前記セクション内の歯の長さと前記セクション内の縦に平均した歯の断面の平方根との比によって規定され、
Ｂ）前記歯の縦セクション内のほとんどの位置について、前記歯の断面は５ｍｍ＾２未満であり、
Ｃ）前記縦セクション内のほとんどの位置について、各歯は横に隣接する歯から隔てられて０．３ｍｍ〜１ｍｍの最小ギャップ距離（３７０）を設けている、髪貫通遮蔽板。
【請求項２２】
髪貫通遮蔽板であって、
上面（２８０）及び下面（２９０）と近位端（２２８）及び遠位端（２２４）とを有する歯配列であって、狭い間隔で配置された少なくとも８の歯を備える歯配列を含み、
該歯配列の歯の大多数について、
ｉ）前記大多数の各歯は主要部（３３０）と髪貫通を容易にするための先細りの遠位部（２４０）とを有し、
ｉｉ）前記大多数の各歯は少なくとも２．５ｃｍの長さを有する縦セクションを有し、
該縦セクションにおいて、
Ａ）前記歯の縦セクション内のほとんどの位置について、歯の断面は５ｍｍ＾２未満であり、
Ｂ）各歯は横に隣接する歯から隔てられて最小ギャップ距離（３７０）を設け、前記歯の縦セクションの長さと前記横に隣接する歯との縦平均の最小ギャップ距離との比は少なくとも３０であり、前記最小ギャップ距離（３７０）は前記縦セクション内のほとんどの位置について０．３ｍｍ〜１ｍｍである、髪貫通遮蔽板。
【請求項２３】
髪貫通遮蔽板であって、
上面（２８０）及び下面（２９０）と近位端（２２８）及び遠位端（２２４）とを有する歯配列であって、狭い間隔で配置された少なくとも８の歯を備える歯配列を含み、
該歯配列の歯の大多数について、
ｉ）前記大多数の各歯は、主要部（３３０）と髪貫通を容易にするための先細りの遠位部（２４０）とを有し、
ｉｉ）前記大多数の各歯の前記主要部（３３０）は少なくとも２．５ｃｍの長さを有するセクションを有し、
該セクション内の歯軸に沿ったほとんどの位置について、
Ａ）各歯の断面は概ね三角の形状を有し、該概ね三角の形状は遮蔽板厚さ軸（２７０）に沿って上方を指し、
Ｂ）前記各歯の断面は５ｍｍ＾２未満である、髪貫通遮蔽板。
【請求項２４】
個人の髪の根元をタッチアップする方法であって、
ａ）請求項１９乃至２３のいずれかに記載の髪貫通遮蔽板を、前記遮蔽板の下面２９０がユーザーの頭皮に向かい合うように、かつ該ユーザーの髪の根元領域が前記遮蔽板の歯の間の空間を通り抜けるように、該ユーザーの頭にかみ合わせるステップと、
ｂ）前記遮蔽板の下面２９０に向かい合っている前記ユーザーの頭皮が前記髪貫通遮蔽板によって非粘性染毛剤から保護されるように、前記遮蔽板（２２０）の上面（２８０）に対して霧状に前記非粘性染毛剤を排出して前記ユーザーの髪の根元領域を染めるステップと、を含む方法。
【請求項２５】
ａ）請求項１９乃至２３のいずれかに記載の髪貫通遮蔽板と、
ｂ）噴霧器アセンブリ（４００）であって、前記遮蔽板の上面（２８０）より高い噴霧剤排出口を有し、前記下面より下の空間が前記髪貫通遮蔽板によって非粘性染毛剤から保護されるように、前記遮蔽板（２２０）の上面（２８０）に対し、歯の配列によって規定される近位−遠位方向に霧状に前記非粘性染毛剤を排出する噴霧器アセンブリと、を含むキット。
【発明の詳細な説明】
【技術分野】
【０００１】
本発明の実施形態は、染毛剤塗布装置及び関連する染毛方法に関する。特定の実施形態は、白髪、例えば、髪の根元やその付近の白髪の一時染色に有用である。
【背景技術】
【０００２】
通常加齢によって生じる白髪を隠す目的で、また他の髪の色を好みの色に変える目的で、ヘアダイが一般に使われている。染毛剤は大きくいくつかの種類に分類することができる。ただし、異なる種類の染毛剤を組み合わせる場合があり、明確にはいずれかの種類に属さない染毛剤もある。[Anderson,J.Soc.Dyers Colourists、1 16:193-196(2000);Zviak and Millequant,[Zviak, Charles;Millequant, Jean. Editor(s):Bouillon, Claude;Wilkinson, John. Science of Hair Care (2nd Edition) (2005),251-275, Publisher:CRC Press LLC, Boca Raton, Fla]。
【０００３】
永久染毛剤は一般に、小さな芳香族前駆体に酸化剤、通常は過酸化水素を混ぜることによって生成される。酸化後、前駆体は共有結合的に互いに反応し染料を生成する。これらの小さな前駆体分子は、それより大きな染料分子が外に拡散するよりも有効に毛髪中に拡散することができる。更に、髪を膨らませるためにアルカリ化剤、通常はアンモニアも添加され、これによって前駆体が最大限毛髪中に浸透する。
【０００４】
過酸化水素は元の髪の色を脱色し、これによって元の髪の色が完全に染料の色に入れ替わる。永久染毛剤は非常に普及しているが、前駆体を正確に混ぜて塗布する複雑さという欠点や潜在的に有害な試薬を使用するという欠点を有する。このため、永久染毛剤は通常、プロのヘアスタイリストによって塗布される。また、髪は新たに伸びて必ずまた元の髪の色が現れるので、永久染毛剤であってもこれを隠すことはできない。
【０００５】
半永久染毛剤は永久染毛剤と似ているが、永久染毛剤の場合より濃度の低い過酸化水素と、アンモニアより効果は少ないが不快な臭いも少ないアルカリ化剤を用いている。このため、半永久染毛剤は髪への浸透や元の髪の色の脱色には永久染毛剤より効果が少なく、白髪の大部分を有効に染めるという目的では利用できない。しかし、半永久染毛剤は比較的穏やかであるために、白髪が髪の少数である場合など、効果の少ない染毛でも十分な場合は望ましい。
【０００６】
半永久染毛剤は通常、毛髪中に拡散するのに十分小さい、ニトロフェニレンジアミンやニトロアミノフェノールなどの分子を含んでいる。半永久染毛剤は追加の試薬を必要としないので利用しやすいが、永久染料と比べて効果が少なく、何回かシャンプーで洗髪すると比較的早く色落ちし、また、元の髪の色を脱色できない。
【０００７】
一時染毛剤は通常、髪に浸透しないので、髪の色をほどほどに変えることしかできない。また、一時染毛剤はシャンプーによる最初の洗髪で落ちてしまうので、より長持ちする染毛剤を塗布するまでの間に新たに伸びた白髪を隠す場合など、個別の事情で髪の色にちょっとした変更を加える場合に適している。一時染毛剤は髪に浸透できる小さな分子を含む必要がないので、多様な種類の化合物を用いることができ、それによって利便性が向上する。例えば、より永続性のある染毛剤ではあり得ない、アレルギー反応を引き起こす危険のない染料を選ぶことができる。色合いも多数の中から選ぶことができる。
【０００８】
一時染毛剤の好適な特性が得られるかどうかは、まさにその利用のしかたにかかっている。しかし通常、一時染毛剤はシャンプーを用いる洗髪によっては容易に落ち、雨、発汗、衣服や枕カバーとの摩擦によっては落ちないことが重要である。また、一時染毛剤は髪に対して十分高い親和性を有することが望ましく、また髪を均一に着色することが望ましい。
【０００９】
一時染毛剤は、頭髪全体への塗布を意図した、シャンプーやコンディショナー、濃淡強化剤、カラーヘアスプレー、及びマスカラの成分として、又は髪のストリークとして利用されてきた。均一かつ安定した着色を実現するために、いくつかの系統の染料が単一の配合物の中でしばしば使用される。染料の電荷がマイナス又はプラスになって毛幹に対し低い又は高い親和性を示すことがある。これはプラスの電荷を持つ染料（塩基性染料）は髪に対しより高い親和性を持つからである。
【００１０】
一般的な一時染毛剤として、アゾ誘導体，メチルバイオレットなどの塩基性トリフェニルメタン染料、サフラニンなどのアジン誘導体、インドアミン及びインドフェノールがあげられる[Zviak and Millequant, supra (2005)]。着色ポリマーや人工メラニンも使われている。髪に対し強い親和性を持つポリマー染毛剤は、半永久又は永久染毛剤である場合が多い。半永久染毛剤である、髪に対し強い親和性を持つポリマーの例が、米国特許第4,182,612号、第5,702,712号、及び第5,827,330号に開示されている。
【００１１】
ポリマー系一時染毛剤の場合、髪に対する親和性はせいぜい中程度でなければならず、低い親和性がより望ましい。髪の一時染毛に適したポリマーの例が、米国特許第5,737,907号及び第5,891,199号に開示されている。
【００１２】
タンニン酸、又はタンニン酸を加水分解して生成される没食子酸は、何世紀もの間、第１鉄イオンと組み合わされて没食子インクを生成してきた。この色の薄いインクで書くと、第１鉄イオンが大気中の酸素によって酸化され第２鉄イオンを生成し、この第２鉄イオンがタンニン酸と反応して濃いバイオレットブラックの有機金属ポリマーを生成する。この有機金属ポリマーは、蛋白質、例えば、羊皮紙中の蛋白質と永久に結合しうる。没食子インクは今日、ほとんど使われていない。これは紙が蛋白質を含まず、過剰な鉄原子は腐食性が高いので、紙とペンの両方を傷めてしまうからである。
【００１３】
永久又は半永久に髪を染めるための同様の処理が、髪の蛋白質と結合する染料を用いて行われてきた。例えば、欧州特許第327,345号は、第１鉄イオンを含む洗髪用シャンプーと、シャンプーによる洗髪後に髪に塗布されて半永久黒染料を生成するタンニン酸を含む溶液とを備えるキットを開示している。しかし、このようなキットは一時染毛剤としては適当ではない。この染毛剤が半永久的なものであり、また２つの溶液（タンニン酸溶液と第１鉄イオン溶液）を使うのは冗長で複雑過ぎるので消費者にアピールしないからである。更に、このキットは、十分な着色を実現するのに２回以上使う必要がある。
【００１４】
日本国特許第2,014,324号及び米国特許第4,946,472号は、単一の配合物の中に第２鉄イオンとタンニン酸とを含む染毛剤を開示している。しかし、教示された配合物において使われる染毛剤は一時的なものではない。
【００１５】
中国特許出願1990-104,017、日本国特許第3,014,160号及び第48,031,902号、並びに日本国特許出願2002-47,287、1993-312,065、1988-292,113、及び1984-65,068は、単一の配合物の中に第一鉄とタンニン酸とを含む永久又は半永久の染毛剤を開示している。鉄−タンニン酸染毛剤の技術に基づき、第１鉄イオンは（例えば、空気への露出によって）酸化を施されて第２鉄イオンとなり、その後、この第２鉄イオンがタンニン酸と反応して着色ポリマータンニン酸鉄を生成すると考えられている。髪に塗布された染毛剤内の第１鉄イオンが酸化すると、髪と強く結合したタンニン酸鉄ポリマーが生成される。従って、この染毛剤は一時的なものではない。これらの特許や特許出願には、タンニン酸と第２鉄イオンを含む組成物についての言及はない。まして非結合の第２鉄イオンを含まない組成物についての言及はない。
【００１６】
日本国特許第61,055,483号、第130,823号、第94,800号、及び第93,052号、並びに日本国特許出願2005-206,160、2000-85,556、1990-336,606、1987-245,287、1984-177,514、及び1972-81,137は、一方が鉄イオンを含み他方がタンニン酸を含む２つの配合物を含む永久又は半永久の染毛剤を開示している。毛髪内でこの２つの溶液を混合することにより毛髪中にタンニン酸鉄が生成され、このタンニン酸鉄が毛髪と結合する。
【００１７】
これらの配合物が一時染毛剤の機能を果たせないことに加え、鉄−タンニン酸染毛剤はいくつかの一般的な欠点を有する。すなわち、濃い黒色は多くの消費者にはアピールしない。また、上記の配合物はいずれも非結合の鉄イオンを含んでいる。非結合の鉄には腐食性があり、特に第１鉄イオンはフェントン反応により酸化性が高い遊離基を生成する。過剰なイオンは毛髪を傷め、皮膚に醜い色素過剰症を引き起こす[Landsown, Int.J.Cosmetic Sci., 23:129-137(2001)]。
【００１８】
メラノイジンは、適度な熱の下での糖とアミノ酸との相互作用から生じる茶色がかった着色化合物の系統である。調理された食物の褐色着色や風味の多くはメラノイジンのおかげであり、そのため安全性の高い薬剤とされている。しかしこれまでのところ、メラノイジンは染毛剤として開示されていない。
【００１９】
一時染毛剤がそこに含まれる着色化合物を所望の容易さと便利さで髪に塗布するのに適した配合物を含んでいれば、好都合である。例えば、そのような配合物は、着色化合物を可溶化するが速乾性の配合物である溶媒、及び／又は界面活性剤を含んでいてもよい。多くの場合、そのような配合物は、一時染毛剤が早期に色落ち及び／又は摩擦落ちするのを防ぐ成分を含んでいることが望ましい。
【００２０】
ＰＣＴ特許出願WO94/10968は、可溶性メラニンと、静電相互作用を介して可溶性メラニンを毛髪に結合するカチオン材料とを含む水性ヘアダイ組成物を教示している。このメラニンは、イオン特性をメラニンに与えるものと教示されている過酸化水素によって酸化されて可溶化されるのが好ましい。クオタニウム化合物又はポリクオタニウム化合物などのカチオン材料は、髪に対するメラニンの親和性を高めるようにアニオン性メラニンと複合体を形成するものと教示されている。
【００２１】
米国特許第6,506,374号は、速乾を可能にするアルコールと、色が摩擦落ちするのを防ぐポリマーとを含む染毛組成物を教示している。米国特許第5,821,240号は、摩擦落ちを防ぐ第四アンモニウム官能性シランを含む水性染毛組成物を教示している。日本国特許出願1993-312,065は、タンニン酸と、第一鉄塩と、シリコーン−ポリエーテル共重合体などのシリコーン油とを含む染毛組成物を教示している。そのようなシリコーン油は、毛髪に滑らかな膜を形成するのに有用な非揮発性界面活性剤である。
【００２２】
一時染毛剤には使いやすさや便利さが求められるので、すばやく便利に塗布する手法を提供できれば特に都合がいい。ペンシル型染毛剤や芯型塗布装置（例えば、米国特許第5,964,222号）は、髪を生え際に沿ってタッチアップするのによく用いられる。別の手法として、一時染毛剤ゲルを櫛で髪に梳かし込むやりかたがある。また別の手法として、粉末の染毛剤を吐出するボトル又は噴霧剤容器を搾って粉末を塗布し、その後粉末を指で生え際にすり込むというやりかたがある。
【発明の実施形態の概要】
【００２３】
本開示は、上面と下面とを有する遮蔽板（ｉ）と、染毛組成物又は染毛剤を遮蔽板の上面に送る噴霧器アセンブリ（ｉｉ）とを備える染毛剤塗布装置を説明する。
【００２４】
どんなときでも、この染毛剤塗布装置は、特定の「局所処理領域」で、例えば、ユーザーの額と額の上の「髪の塊」との境界を示す生え際又はその付近で髪を染めるのに有用である。例えば、髪の全体又は大部分を染める装置を用いずに髪の可視領域にある髪の根元を「タッチアップ」する場合に、本装置は特に有用である。
【００２５】
１つの使用シナリオで、ユーザーは当技術分野で公知の任意の技術を用いて、髪の大多数を「天然色」から「所望の色」に染める。その後（例えば、数日後又は数週間後）、ユーザーの髪は伸びて根元が「天然」色に戻る。このような使用例では、多くの場合、ユーザーは、髪全体（又はその相当な部分）を着色して是正を図るよりも、髪の根元が天然色に戻っている厄介にも目に見える領域（例えば、額の境界となっている生え際付近）をタッチアップすることに主に関心がある。このような及び他の使用シナリオにおいて、ユーザーは、相当な手間をかける必要のない、髪の局所領域をすばやく処理する「すばやい、かつ手間のかからない」解決法に関心がある。
【００２６】
いくつかの実施形態において、本開示の染毛剤塗布装置の遮蔽板部分は、髪の房が通過する複数の狭く細長い溝（例えば、互いに概ね平行な溝）を有している。使用中、（ｉ）染毛組成物は噴霧器アセンブリから髪遮蔽板の「上」の空間領域へ噴霧され、（ｉｉ）「処理領域」におけるユーザーの頭皮が遮蔽板の下にあるように、またかかるユーザーの頭皮が頭皮をよごすかもしれない染毛組成物から遮蔽板によって保護されるように、遮蔽板はユーザーの頭皮の局所面に対し概ね平行な方向に向けられ、（ｉｉｉ）髪の房の（好ましくは髪の根元を含む）少なくとも一部が（遮蔽板の「下」にあって髪組成物から保護される頭皮とは対照的に）遮蔽板の「上」に位置するように、「処理領域」にあるユーザーの髪は細長い溝を通って遮蔽板の厚さを横断する（すなわち、「上」方向に横断する）。
【００２７】
ユーザーが遮蔽板の「上」の空間領域で染毛組成物を噴霧すると、染毛組成物は「横断する」髪の房と接触して髪の房の少なくとも一部を着色する（例えば、髪を被覆することにより着色する）、好ましくは髪の房の根元を着色する。更に、細長い溝は通常「狭い」（しかし横断する髪の房を収容するのに十分広い）ので、遮蔽板は、遮蔽板の上面に「着地」するかもしれない噴霧された染毛組成物が遮蔽板の下へ横断して（すなわち、「下」方向に横断して）頭皮自体と接触するのを概ね防ぐことができる。多くの使用シナリオにおいて、そのような接触は好ましくない、例えば、頭皮をよごしてしまう。
【００２８】
前述のように、多くの使用シナリオにおいて、ユーザーは特定の局所領域にある厄介な白髪（又は他の望ましくない色の髪）の根元を染めたいだけなのである。このようなシナリオでは、ユーザーは通常、あまり手間を必要としない「すばやい、かつ手間のかからない解決法」に関心がある。
【００２９】
いくつかの実施形態において、当技術分野で公知の染毛クリーム、ゲル、又はムースを用いて髪を染める代わりに（通常、ユーザーはクリーム、ゲル、又はムースを手で「すり込む」又は「櫛で梳き込む」手間をかけなくてはならない）、髪の房を互いにくっつけることなく、また手で染毛組成物を髪にすり込む必要なしに髪の房を被覆する速乾性の、及び／又は非粘性の染毛組成物を採用することは好都合である。
【００３０】
「速乾性」の、及び／又は「非粘性」の染毛組成物は扱いやすいかもしれないが（すなわち、そのような染毛組成物は髪にすり込む必要がなく、かつ／又は通常すばやく乾燥する）、非粘性液体の顕著な特徴の１つは、非粘性液体は流れやすく、それによって頭皮が染毛剤に対して露出する可能性が高まることである。例えば、そのような染毛組成物は霧状に又は細かい霧状に遮蔽板の上面に送られる。
【００３１】
いくつかの実施形態において、遮蔽板の下にある頭皮を（例えば、噴霧器アセンブリから送られて加速された）染毛霧の液滴から、及び／又は非粘性液体として与えられた染毛剤から遮蔽するのが困難な場合がある。
【００３２】
本発明の実施形態は、髪の根元が（例えば、噴霧状に）遮蔽板の上面に送られた染毛組成物によって染められるように髪を遮蔽板の上方に貫通させ、一方で遮蔽板の下にある頭皮を非粘性染毛剤、及び／又は液滴の流れとして送られた染毛剤から保護する方法及び装置に関する。
【００３３】
本発明者によって行われた実験は、以下の１つ又は複数の幾何学的特性が遮蔽板にとって有用であることを示している：  
（Ａ）狭く細長い溝は上方に横断する髪の房を収容するのに十分広いが、染毛組成物のかなりの量が遮蔽板の下の頭皮に対し下方向に浸透しないように十分狭い；  
（Ｂ）狭く細長い溝が一定の長さ特性を有する。具体的には、それらの溝は、「かなりの量の」髪が、噴霧器アセンブリから髪組成物が送られる遮蔽板上まで上方向に横断するのに十分な長さを持っている。したがって、細長いが狭い溝は、溝の長さ（具体的には、溝の全長、又は一定の長さを持つ溝の断面内の「アスペクト比」）と一定の寸法の溝幅とを関連付ける一定の高い「溝アスペクト比」を有することになる、いくつかの実施形態において、「溝アスペクト比」は少なくとも３０、少なくとも４０、少なくとも６０、少なくとも７０、少なくとも８０、少なくとも９０、又は少なくとも１００である；  
（Ｃ）装置の遮蔽板部分が、互いに「狭い間隔で配置され」、通常は並んだ、かつ／又は概ね平行の複数の歯を含んでいる。例えば、横に隣接する歯の間の溝又は空隙は、染毛組成物が遮蔽板から頭皮へ下方向に浸透するのを妨げる「狭い溝」又は「狭いギャップ」特性を有している；  
（Ｄ）歯は「極端に狭く」はないが、いくつかの実施形態においては「広すぎ」ることもない（例えば、歯が広すぎると、「広すぎ」ない装置に設けられる溝の数より少なくなってしまう）。いくつかの実施形態において、歯幅の上限（例えば、歯の大多数、相当な数の大多数、又は非常に相当な数の大多数について平均した上限、及び／又は歯の全長について平均した上限、若しくは歯又は遮蔽板の一定の断面について平均した上限、若しくは溝間の平均距離の上限）は、４ｍｍ、３ｍｍ、２．５ｍｍ、又は２ｍｍである。「より長い歯」によってより効率的な装置が得られる場合がある（すなわち、より長い溝はより多くの髪の房を収容できる）ので、また、歯は一定の狭さ特性を有するので、いくつかの実施形態において、「歯のアスペクト比」は比較的大きい、例えば、少なくとも２０、少なくとも３０、少なくとも４０、又は少なくとも５０、若しくは本明細書に開示された任意の範囲又は値であってよい。以下に説明する歯のアスペクト比は、歯の全体について平均した、又は歯軸に沿った一定の「歯の断面／歯の長さ」について平均した、歯の長さと歯の幅、厚さ、又は断面とを関連付けるものである；  
（Ｅ）歯の断面（又は横に隣接する歯の間の空隙の断面）の形状も、遮蔽板の下にある頭皮を遮蔽するとともに、髪の根元が噴霧器から送られた染毛組成物に「露出」するように髪の房が上方へ横断するのを容易にする役割を果たす。これによって、一例において、本発明者は、上に向いた、概ね三角形の歯（すなわち、概ね三角形の断面を有する歯、例えば、図１５、２１〜２２を参照）が優れた結果をもたらすことを発見した。これらの歯（具体的には、歯軸に沿った位置の大多数、又は相当な数の大多数、又は非常に相当な数の大多数における歯の断面）は、横に隣接する歯の間の最も狭い「ギャップ」が歯の底部付近にくるように構成される。特定の理論に縛られることは望まないが、歯の底部付近に歯間の「最も狭いギャップ」を配置することにより、（髪の房の「より高い」断面だけでなく）根元が、歯間の「最も近いギャップ」の上の、噴霧器から送られた染毛組成物に対してより多く露出される領域へ上方向に貫通するのを容易にすることに留意されたい。更に、歯はその上端付近でより狭くなるので、歯間の空隙は、空隙の上端付近の、又は横に隣接する歯の上端付近の「より高い」位置でより広くなる。歯の形状によって規定されるこのような空隙の形状は、「歯間の最も狭いギャップ」の上の位置にある髪の房の根元は、「歯間の最も狭いギャップ」の上のこれらの「より高い」位置にある歯によっては遮蔽されにくいことを意味している。  
（Ｆ）歯の三角形の断面は要求事項ではないことを開示する。いくつかの実施形態において、歯の三角形の断面に関連付けられた１つ又は複数の特徴は、歯の任意の断面形状と関連付けられる。このため、いくつかの実施形態において、歯の断面、及び／又は横に隣接する歯の間の空隙は、歯がその底部でより広く（具体的には、ほとんど位置で概して広く）その上端でより狭くなるような（又は逆に、「最も狭いギャップ」が隣接する歯の底部付近に位置するように空隙がその上端でより広くその底部でより狭くなるように）非対称な幅輪郭を有する。
（Ｇ）いくつかの実施形態において、遮蔽板の上面の形状と下面の形状は、遮蔽板の上部が（例えば、横方向に波打つ波打ち面により）比較的粗い感触を与え、遮蔽板の底部が比較的滑らかな感触を与えるように異ってもよい。粗さと滑らかさの「長さスケール」は一般に、１ｍｍ前後（具体的には、０．５ｍｍ、０．７５ｍｍ、１．２５ｍｍ、１．５  ｍｍ、又は２ｍｍ）である。
【００３４】
この確認は、上下面上で、半径が０．５ｍｍ、０．７５ｍｍ、１ｍｍ、１．２５ｍｍ、１．５ｍｍ、又は２ｍｍ、長さが少なくとも０．５ｃｍ、少なくとも１ｃｍ、少なくとも２ｃｍ、少なくとも３ｃｍ、又は少なくとも４ｃｍの円柱の軌跡を確認することにより行ってよい。上面が「粗い」場合、円柱を遮蔽板の上面上を横方向に移動させたときに、同じ実験で同じ円柱を遮蔽板の下面上を横方向に移動させたとき（上下の振動又は波打ちが全く起きないか、はるかに小さい）より大きな規模で、又ははるかに大きな規模で波打つ、又は振動するようになろう。
【００３５】
一例において、歯配列の歯の間の空隙の大多数（本明細書に開示された任意の数）について、円柱を横方向に遮蔽板の上面上を横に「転がす」又は移動させると、円柱は、（上下の振動又は波打ちの規模が少なくとも０．５ｍｍ、又は少なくとも１ｍｍ、若しくは円柱の半径又は半径の１．５倍に等しい大きさである第１の規模で波打つ、又は振動する。同じ位置にある同じ円柱に遮蔽板の下面上を移動させると、下面上の上下の振動又は波打ちの規模（すなわち、第２の規模）は上面の場合より小さい（具体的には、上面で確認可能な第１の規模のせいぜい５０％、せいぜい３０％、せいぜい２０％、又はせいぜい１０％の値；例えば、図２５を図２７と比較されたい）。  
【００３６】
いくつかの実施形態において、（ｉ）上面上の波打ち／上下振動の規模（すなわち、所定の円柱について測定された規模）の（ｉｉ）上面上の波打ち／上下振動の規模（すなわち、同じ所定の円柱について測定された規模）に対する比は、少なくとも１．５、少なくとも２、少なくとも３、又は少なくとも５であってよい。一例において、上面について、円柱の振動又は波打ちの規模を円柱の半径と一致させてもよい（具体的には、７０％、５０％、又は３０％の許容差で）。
【００３７】
本明細書で使用されている「約」という用語は、＋１０％を意味する。「含む」という用語は、最終結果に影響を与えない他のステップや成分を加えてもよいことを意味する。この用語は、「からなる」や「基本的に〜からなる」という用語を包含する。本明細書で使用されている単数の形式「ａ」、「ａｎ」、「ｔｈｅ」という用語は、明確に他の指定が文脈にない限り複数の言及を含む。例えば、「化合物」又は「少なくとも１つの化合物」という用語は、その組み合わせを含む複数の化合物を含んでもよい。
【００３８】
本開示を通じ、本発明の様々な態様が範囲の形式で示される場合がある。範囲形式の記述は単に便宜と簡潔さを目的としたものであり、本発明の範囲に対し硬直した制限を課するものと解釈すべきではないことを理解されたい。したがって、範囲の記述には、具体的に開示された全ての可能な部分範囲、更に当該範囲内の個々の数値が含まれると解釈すべきである。
【００３９】
例えば、１〜６のような範囲の記述は、１〜３、１〜４、１〜５、２〜４、２〜６、３〜６などの具体的に開示された部分範囲、更に当該範囲内の個々の数値、例えば、１、２、３、４、５、６を含むものと解釈すべきである。
【００４０】
本明細書に示されたいずれの数値範囲も、示された範囲内の全ての引用された数値（分数、整数を問わず）を含むことを意味している。第１の指示値と第２の指示値の「間の範囲の」と、第１の指示値「から」第２の指示値「までの範囲の」は本明細書では互換的に用いられ、第１と第２の指示値及びそれらの間の全ての分数及び整数を含むことを意味している。
【００４１】
他に定義されていない限り、本明細書で用いられている全ての技術用語及び科学用語は、本発明が属する技術分野の当業者により一般に理解されている意味と同じ意味を有する。本明細書に記載されたものと同様又は同等の方法や材料を本発明の実行や試験において用いることは可能だが、適切な方法や材料を以下に説明する。矛盾がある場合、定義を含む本特許明細書が支配する。また、材料、方法、及び例は単に例示を目的としたものであり、本発明を限定することを意図したものではない。
【図面の簡単な説明】
【００４２】
本発明は、本明細書において添付の図面を参照しながら単に例示を目的として説明される。特に図面を詳細に参照しながら、示された詳細は例示であり、また単に本発明の好適な実施形態の説明を目的としたものであり、本発明の原則及び概念的態様の最も有用で理解しやすい記述と考えられるものを提供するために示されていることを強調する。
【００４３】
この点について、本発明の基本的な理解に必要である以上に詳細に本発明の構造的詳細を説明する試みは行わない。図面と共になされる説明は、本発明のいくつかの形態が実際にどのように具現化されるかを当業者に対し明確にしている。図面には以下のものが含まれる。
【００４４】
図１〜４は、いくつかの実施形態に係わる染毛装置の様々な図を示す。図５〜６は歯の配列を示す。図７〜８は、いくつかの実施形態に係わる染毛装置の側面図を示す。図９〜１０は、いくつかの実施形態に係わる染毛装置の分解図を示す。図１１〜１２は、いくつかの実施形態に係わる染毛装置の使用法を示す。
【００４５】
図１３Ａ〜１３Ｃは、遮蔽板の上面に染毛霧組成物を噴霧している様子を示す。図１３Ｄ〜１３Ｅは、その幅輪郭が非対称（例えば、三角形）である歯の配列を含む、いくつかの実施形態に係わる染毛装置の図を示す。図１４及び１６は、いくつかの実施形態に係わる染毛に有用な遮蔽板の他の図を示す。図１５Ａ〜１５Ｂはいくつかの実施形態に係わる髪の根元への噴霧液の塗布を示す。
【００４６】
図１７〜１９は、いくつかの実施形態に係わる染毛に有用な遮蔽板の歯配列の様々な図を示す。図２０〜２４及び２６は、いくつかの実施形態に係わる染毛に有用な遮蔽板の歯配列の断面図に関する。図２５は、仮想の円柱の移動の軌跡に関する。図２８〜２９は、いくつかの実施形態に係わる染毛方法に関する。図３０Ａ〜３０Ｂは、いくつかの実施形態に係わる噴霧装置に関する。
【発明を実施するための形態】
【００４７】
本発明のいくつかの実施形態は、（ｉ）２００８年１２月１７日に出願され、（ｉｉ）２００９年６月２５日にＷＯ／２００９／０７８０１７として公開され、（ｉｉｉ）その全体が参照により本明細書に組み込まれた、ＰＣＴ／ＩＬ２００８／００１６３０に開示された方法及び装置に関する。いくつかの実施形態において、本文書に記載された任意の特徴又は特徴の組み合わせを、ＰＣＴ／ＩＬ２００８／００１６３０出願に記載された任意の特徴又は特徴の組み合わせと組み合わせてもよい。  
【００４８】
いくつかの実施形態において、本発明は、染毛目的で使用可能な、染毛剤塗布装置の発明及び染毛剤及び染毛組成物の発明である。具体的に、本発明は、生え際に沿ってすばやく便利に髪を染める（「タッチアップする」）ために用いることができ、特に、（例えば、自然発生物質に由来して）実質的に天然で、環境に優しく、髪の自然な色合いを示す染毛剤、及び／又はアルコールを含まない適切な揮発性担体と共に用いることができる。  
【００４９】
本発明に係わる染毛剤塗布装置の原則及び動作は、以下の説明及び添付の図面を参照することによってよりよく理解されよう。本発明の少なくとも１つの実施形態を詳細に説明する前に、本発明は以下の説明に示された、又は図面に示された構成要素の構造及び配置の詳細への適用に限定されるものではないことを理解されたい。  
【００５０】
本発明は他の実施形態も可能であり、又は様々な方法で試行又は実施することも可能である。本明細書で用いられる用語や術語は説明を目的としたものであり、限定するものと解釈すべきではないことを理解されたい。  
【００５１】
図１〜４は、いくつかの実施形態に係わる染毛装置の様々な図を示す。図５〜６は歯の配列を示す。図７〜８は、いくつかの実施形態に係わる染毛装置の側面図を示す。図９〜１０は、いくつかの実施形態に係わる染毛装置の分解図を示す。図１１Ａ〜１１Ｃは、ユーザーが、髪の根元、例えば、額と境を接する「周辺」部４９０における髪の根元を染めるために染毛装置２００を使っている１つの使用シナリオを示す。  
【００５２】
図１２は別の使用例を示す。図１３Ａ〜１３Ｃは、図１１〜１２の使用例で用いられている装置２００の側面図である。以下に述べるように、限定されない１つの使用シナリオにおいて、遮蔽板２２０を備える装置２００は、噴霧液（例えば、染毛剤とアルコール溶液を含む霧又は液滴の流れ）を用いてユーザーの髪（より詳しくは、ユーザーの髪の根元）を染め、一方でユーザーの頭皮が染毛剤にさらされるのを防ぐのに有用である。
【００５３】
いくつかの実施形態では、噴霧状に提供される染毛剤は「速乾性」及び／又は非粘性である。それらの実施形態では、染毛溶液が遮蔽板２２０の表面に着地次第「流れる」性質を有するにもかかわらず（具体的には、それらの実施形態において染毛剤の噴霧が非粘性であるため）、遮蔽板２２０は、ユーザーの頭皮を染毛剤から保護するのを容易にする幾何学的特性を発揮する。
【００５４】
以下の述べるように、このような保護、及び／又は他の特徴を実現するため、遮蔽板２２０は、いくつかの実施形態において、以下の１つ又は複数の特徴を備えてもよい。すなわち、（ｉ）「細長い」溝が高い「溝アスペクト比」を有する；（ｉｉ）狭い間隔で配置された歯の配列において、歯又は歯の間の空隙が「高いアスペクト比」を有する；（ｉｉｉ）歯が特定の断面形状（例えば、三角形）を有する；及び／又は本明細書で説明された１つ又は複数の追加の特徴。  
【００５５】
装置２００は、比較的平坦な髪貫通遮蔽板２２０（ｉ）と噴霧器アセンブリ４００（ｉｉ）とを備える。染毛剤の噴霧は、噴霧液開口／排出口２１０から遮蔽板２２０の「正」面２８０上に排出される。噴霧液がとる上／正面２８０上の進路は、図１３Ａ〜１３Ｃにおいて「噴霧液」の名称が付けられた黒い矢によって示され、図１１Ｂでも要素４３０として表示されている。
【００５６】
限定されないが、いくつかの実施形態において、噴霧器は、以下の角度で概ね均一に噴霧液を散布する「ファンスプレー」である：少なくとも２０度、少なくとも３０度、又は少なくとも４０度、及び／又は最大１８０度、最大１２０度、最大９０度、最大７０度、最大５０度、及び／又は最大４０度。
【００５７】
いくつかの実施形態において、噴霧器アセンブリによって形成されるファンスプレーは、概ね平面状である（具体的には、遮蔽板２２０の比較的平坦な面に対して概ね平行である、及び／又は３０度未満、又は２０度未満、又は１０度未満の角度でこの面と交差する面）。オリフィス及び「スプレーインサート」を備えるスプレーアセンブリについては、図３０を参照しながら以下に説明する。
【００５８】
いくつかの実施形態において、（ｉ）噴霧液は遮蔽板２２０の正面２８０に向けられており、（ｉｉ）遮蔽板２２０の機械的構造は、この噴霧液が遮蔽板２２０より下の空間４５０、すなわち、遮蔽板２２０の下／背面２９０によって規定される遮蔽板２２０より下の空間に達するのを防ぐ。図１１〜１２の例において、遮蔽板２２０は、背面２９０がその下にあるユーザーの頭皮に対向して保持される方向に向けることができる。正面２８０がユーザーの頭皮に背を向ける一方、背面２９０（図１１〜１２には図示せず）はユーザーの頭皮に対して押しつけられている図１１〜１２を参照されたい。この例で、遮蔽板２２０は、その比較的平坦な構造がユーザーの頭皮の「比較的平坦な局所面」に対して押しつけられかつ当該面に対し概ね平行である方向に向けられている。
【００５９】
本開示において、遮蔽板２２０の「上」「下」という用語は、遮蔽板２２０や装置２００の向きとは関係なく、図１３Ａ〜１３Ｃ  に規定された「遮蔽板厚さ軸」２７０に沿った遮蔽板２２０の「上」「下」を意味する。図１３Ｂ〜１３Ｃにおいて、遮蔽板２２０の「上」の領域は７０２によって示され、遮蔽板２２０の「下」の領域は７０４によって示されている。「上」「下」という用語は遮蔽板２２０や装置２００の向きと関係なく規定されるので、図１１の例では、遮蔽板２２０が実質的に垂直であっても、染毛剤の噴霧が噴霧される領域は遮蔽板２２０の「上」にあり、一方遮蔽板の下面２９０が押しつけられる頭皮は遮蔽板２２０の「下」にある。
【００６０】
前述したように、装置２００の１つの機能は、遮蔽板の「下」にある頭皮が噴霧状に送られた染毛剤に直接さらされるのを防ぐ又は遮蔽することである。装置２００のもう１つの機能は、髪の房、例えば、髪の根元に対する染毛剤の供給を容易にすることである。このため、遮蔽板２２０は、髪の房を収容するには十分広いが広すぎない、複数の比較的狭い溝４８０（図１１Ｃを参照）を備えている。図１１Ｃに示されるように、これらの溝は概ね並んでいる、及び／又は遮蔽板の縦軸２５０と概ね一致している。
【００６１】
本開示において、所定の位置（例えば、溝軸、歯軸、又は縦軸２５０に沿って値を有する「縦位置」）の溝を「厚さ／高さ」方向に、すなわち、遮蔽板厚さ軸２７０に沿って横断することができる場合、当該所定の位置の溝は「遮蔽板厚さ横断」特性を有することになる。したがって、図１３Ｂ〜１３Ｃを参照すると、「遮蔽板厚さ横断」特性を有する当該位置の溝を通って領域７０４から上方の領域７０２へ（逆の場合も同様）「移動」することができる。
【００６２】
ユーザーの頭皮に根を下ろす髪の房３１０は、狭い溝を（具体的には、図１３Ａ〜１３Ｃ  に規定された「遮蔽板厚さ軸」２７０に沿って背面２９０から正面２８０へ）横断し、遮蔽板の上の空間領域７０２に現れる。図１１Ｃに示されるように、髪の房３１０（又はその一部）はその後、遮蔽板上の領域７０２において、噴霧された染毛剤と「合流」してその染毛剤を浴び、髪の根元の染毛を容易にする。
【００６３】
いくつかの実施形態において、（ｉ）狭い溝４８０は実際狭く（例えば、０．２〜１ｍｍの範囲で最も狭い幅を有し、例えば、少なくとも０．２ｍｍ、又は少なくとも０．３ｍｍ、例えば、最大１ｍｍ、最大０．８ｍｍ、最大０．７ｍｍ、最大０．７ｍｍ、又は最大０．６ｍｍ）、（ｉｉ）遮蔽板２２０は、噴霧液が領域７０２から領域７０４へ軸２７０に沿って「下」方向に遮蔽板２２０を横断するのを可能にする他の特徴（具体的には、溝、オリフィス、開口など）を実質的に欠く幾何学構造を有している。
【００６４】
これによって、噴霧状に提供された染毛剤を概ね遮蔽板２２０の正面２８０に配置し（これによって、噴霧状に提供された染毛剤を髪の房３１０に、又はいくつかの実施形態においては、髪の房３１０の根元に配置し）、一方「遮蔽板２２０の下」の領域７０４にある頭皮を保護する装置及び方法を提供することができる。
【００６５】
更に、いくつかの実施形態においては、溝４８０が狭いために、及び／又は遮蔽板２２０により規定される空間内に材料が「密集」しているために、遮蔽板２２０が実際は櫛にならない。その場合、遮蔽板２２０を、概ね髪の塊とユーザーの額との「境界」領域４９０にある髪領域（図１１を参照）に、及び／又は髪の一部の領域（図１２を参照）に（一定程度）貫通するように用いてもよい。いくつかの実施形態においては、髪貫通遮蔽板がユーザーの髪の塊のかなり奥のまで貫通するのは困難であるからである。
【００６６】
それでも、多くの使用シナリオでは、ユーザーは当技術分野で公知の任意の技術を用いて髪の大多数を「天然色」から「所望の色」に染める。その後（例えば、数日後又は数週間後）、ユーザーの髪は伸びて根元が「天然」色に戻ってしまう。このような使用例では、多くの場合、ユーザーは、髪全体（又はそのかなりの部分）を着色して是正を図るよりも、髪の根元が天然色に戻ってしまった、厄介にも目に見える領域（例えば、境界領域４９０付近、及び／又は髪の一部５１０）を「タッチアップ」することに主に関心がある。
【００６７】
いくつかの実施形態においては、遮蔽板２２０が「櫛機能」を持っていない場合でも（いくつかの実施形態の場合）、またその使用がそれらの髪の目に見える「境界」領域に実質的に限定される場合でも、遮蔽板はこの目的のために有用である。
【００６８】
頭皮を保護するため、及び／又は髪の房が遮蔽板２２０を上方へ横断して噴霧状の染毛剤を浴びる機会を提供するため、遮蔽板２２０は、いくつかの実施形態において、以下の特徴の１つ又は複数を有している。すなわち、（ｉ）「細長い」溝が高い「溝アスペクト比」を有する；（ｉｉ）狭い間隔で配置された歯の配列において、歯又は歯間の空隙が「高いアスペクト比」を有する；（ｉｉｉ）歯が特定の断面形状（例えば、三角形）を有する；及び／又は本明細書に記載された１つ又は複数の特徴。
【００６９】
以下に説明するように、溝、空隙、又はギャップが「細いこと」は、非粘性物質であってもその下方への動きを妨げるのに有用である。特定の穴、空隙、又はギャップは髪の房を収容するのに十分広い（具体的に、その幅は百又は数百ミクロンのオーダー）ので、「長い溝」又は「長い空隙」という特徴は、髪の房が遮蔽板を「上方へ」横断して遮蔽板上の空間に達し、そこで染毛剤（例えば、噴霧液の液滴）で被覆されるのを可能にする延長領域を提供するのに有用である。
【００７０】
別の例（図１５を参照）において、個々の歯は、背面２９０に近づくほど歯がより広くなり（逆に、歯の間の「溝」又は「ギャップ」がより狭くなり）、一方、正面２８０付近で歯がより狭くなる（逆に、歯の間の「溝」又は「ギャップ」がより広くなる）非対称の幅輪郭を有している。以下に説明するように、下面付近に「最小ギャップ位置」を配置することは、特に髪の根元が、染毛剤、例えば、黒のヘアカラー、及び／又は髪を被覆できる染毛剤を浴びるのを容易するのに有用である。
【００７１】
その使用法が図１１〜１２に示された装置２００のもう１つの特徴は、遮蔽板をユーザーの頭の局所面に対して概ね平行にしたとき、「境界」位置にあるユーザーの髪に「貫通」できることである。
【００７２】
遮蔽板２２０の髪の塊への貫通（例えば、豊富な髪（例えば、インド−ヨーロッパ人、アフリカ人、又はアジア人の太い髪）への「浅い貫通」）を容易にするために、髪貫通部２４０を設けることは有用である（例えば、図１１Ｃ、１６〜１７を参照）。しかし、いくつかの実施形態においては、溝４８０が狭いために（溝４８０の最も狭い位置を規定する「歯間ギャップ」３７０の狭さにも留意されたい；図１７、１９、２１を参照）、遮蔽板が「櫛機能」を低下させる又は提供しない。一例において、「浅い貫通」は、「豊かな髪」に対し最大３ｃｍ、最大５ｃｍ、又は最大７ｃｍに限定される。  
【００７３】
図１１〜１２に示された他の特徴には、噴霧剤調整つまみ４１０、染毛用噴霧液が開口／排出口２１０を介して提供される前に格納される噴霧剤容器４２０、及び遮蔽板２２０と噴霧器アセンブリ４００とを機械的に接続又は結合する装置基板又は筐体２３０がある。
【００７４】
限定されない１例において、噴霧器アセンブリ４００は当技術分野で公知の任意の留め具を介して遮蔽板２２０に直接的に又は間接的に固定されてもよい。留め具として、クリップ、ねじ装置、磁気留め具、又は当技術分野で公知の他の任意の留め具があげられがそれらに限定されない。例えば、噴霧器アセンブリ４００は遮蔽板２２０に着脱可能に取り付けられてよい。別の実施形態において、噴霧器アセンブリ４００（又はその一部）と遮蔽板２２０とは、接着剤又は溶接で互いに取り付けてもよい、又は一体形成してもよい。
【００７５】
ここで、装置２００（又はその一部）の側面図である図１３Ａ〜１３Ｃを参照されたい。図１３Ａ〜１３Ｃは、一般的な「近位−遠位方向」２２６を規定する遮蔽板２２０の近位端２２８と遠位端２２４を示す。近位端２２８と遠位端２２４との距離を「近位−遠位距離」と呼ぶ。図１１〜１３の例で、噴霧液（又は開口／放出口２１０から提供された噴霧液の進行方向の中心的傾向を規定する「噴霧液ベクトル」）は、近位−遠位方向２２６に沿っている、及び／又は縦軸２５０と概ね一致している。
【００７６】
図１３Ｂの限定されない例において、染毛用噴霧液が（ｉ）提供される開口／排出口２１０は、４４０によって示された距離だけ遮蔽板２２０の実質的に平坦な面又は実質的な平面より高く（図１３Ｂにおいて、遮蔽板２２０の概ね平坦な面の「延長部分」は４７０によって示されている）、また４４２によって示された距離だけ近位端２２８の後ろの近位方向へ（ｉｉ）変位している。
【００７７】
いくつかの実施形態において、４４０によって示される高さは、少なくとも１ｍｍ、少なくとも３ｍｍ、少なくとも５ｍｍ、少なくとも１ｃｍ、少なくとも１．５ｃｍ、又は少なくとも２ｃｍ、又は「近位−遠位」距離の少なくとも５％、及び／又は少なくとも１０％、少なくとも２０％、又は少なくとも３０％、及び／又は遮蔽板２２０の平均的厚さの少なくとも１．５倍、少なくとも２倍、少なくとも３倍、少なくとも５倍、又は少なくとも７倍である。いくつかの実施形態において、遮蔽板２２０が複数の概ね並んだ歯（例えば、図１５〜２１を参照）を含む歯配列を含む場合、４４０によって示される「高さ」は、歯配列の歯の平均的な厚さの少なくとも１．５倍、少なくとも２倍、少なくとも３倍、少なくとも５倍、又は少なくとも７倍である。
【００７８】
いくつかの実施形態において、４７０によって示される「後方変位距離」は、少なくとも５ｍｍ、少なくとも１ｃｍ、少なくとも１．５ｃｍ、少なくとも２ｃｍ、及び／又は遮蔽板２２０の近位端２２８と遠位端２２４との「近位−遠位距離」の少なくとも１０％、少なくとも２０％、少なくとも３０％、又は少なくとも５０％である。
【００７９】
いくつかの実施形態において、遠位方向に噴霧剤排出口２１０を高くする、かつ／又は変位させることは、噴霧剤排出口２１０と遮蔽板２２０との間に一定の距離を設けるのに有用である。いくつかの実施形態においては、噴霧剤排出口２１０が遮蔽板２２０に近すぎると、噴霧状に提供される染毛剤（例えば、液滴の流れとして提供される染毛剤）が領域７０２及び上面２８０から遮蔽板を下方向に貫通して下面２９０の下の（頭皮のある）領域７０４に達する危険性が増大する。
【００８０】
図１３Ｃに示されるように、噴霧（例えば、液滴の流れ）は最初、排出口／開口２１０から近位−遠位方向２２６に沿った方向に排出されるが、噴霧の進路は、遮蔽板２２０の上／上面２８０の方へ曲がり、遮蔽板を通って上方へ伸びてきた髪３１０と接触する。噴霧（又は開口／排出口２１０から提供された染毛剤の噴霧の進行方向の中心的傾向を規定する「噴霧ベクトル」）は、近位−遠位方向２２６に沿って進んで遮蔽板２２０上の領域７０２に入る場合もある。
【００８１】
いくつかの実施形態において、染毛用噴霧液は速乾性染毛剤を含んでもよい、かつ／又は１回、又は数回の洗髪の後、及び／又は最大数週間又は数日の短期間の内に「すり減る」「一時」染毛剤を含んでもよい。前述したように、遮蔽板２２０は、非粘性の染毛剤であってもその「下方向」への動き（具体的には、遮蔽板上の領域７０２から遮蔽板の下の領域７０４へ向かう動き）を防ぐのに有用である。
【００８２】
制限されない１例において、非粘性の染毛剤は、アルコール系担体などの非粘性担体と混合された染料（例えば、塩基性ヘアダイ）を含んでもよい。限定されない例において、液滴は、少なくとも５重量％、少なくとも１０重量％、又は少なくとも１５重量％のアルコールである。限定されない例において、液滴の流れの粒径は、２００ミクロン未満、１００ミクロン未満、８０ミクロン未満、又は６０ミクロン未満、及び／又は少なくとも５ミクロン、少なくとも１０ミクロン、少なくとも２０ミクロン、又は少なくとも３０ミクロンである。
【００８３】
「流れる」物質である「非粘性」物質（例えば、流体）は、以下の粘度を有していてもよい：１００ｃｐｓ未満（及び／又は２０℃の水の粘度の１００倍未満）、７５ｃｐｓ（及び／又は２０℃の水の粘度の７５倍未満）、５０ｃｐｓ未満（及び／又は２０℃の水の粘度の５０倍未満）、３０ｃｐｓ未満（及び／又は２０℃の水の粘度の３０倍未満）、２０ｃｐｓ未満（及び／又は２０℃の水の粘度の２０倍未満）、１０ｃｐｓ未満（及び／又は２０℃の水の粘度の１０倍未満）、５ｃｐｓ未満（及び／又は２０℃の水の粘度の５倍未満）、又は３ｃｐｓ未満（及び／又は２０℃の水の粘度の３倍未満）、２ｃｐｓ未満（及び／又２０℃の水の粘度の２倍未満）、又は１ｃｐｓ未満（及び／又は２０℃の水の粘度未満）（ｃｐｓはセンチポアズ）。
【００８４】
いくつかの実施形態において、（例えば、噴霧状に提供される）「低粘度」の染毛物質を含有することは、（噴霧の場合のように）ユーザーが染毛剤を髪に「櫛で梳き込む」又は「手ですり込む」必要を取り除く。ユーザーは単にヘアカラーを髪にスプレーし、液滴（例えば、噴霧排出口から直接到達する液滴、及び／又は他の髪の房から跳ね返った液滴）はユーザーの髪を被覆する役割を果たす。一例において、これが、髪の房が互いにくっつくことなく行われる。
【００８５】
いくつかの実施形態において、「高濃度」の噴射剤（例えば、エーテル噴射剤）、例えば、少なくとも１５％、少なくとも２０％、少なくとも２５％、少なくとも３０％、又は少なくとも３５％の濃度の噴射剤を含有することによって、かつ／又はアルコール性溶媒を用いることによって、被覆された髪の房をすばやく、例えば、数分以内に乾燥させることが容易になる。
【００８６】
図１３Ｃ〜１３Ｄは、装置２２０の別の図、例えば、遮蔽板厚さ軸２７０及び横軸２６０が及ぶ領域の断面を示す（横軸２６０に沿った横方向を図１４に示す）。遮蔽板２２０は平坦、又は概ね平坦でなければならないという要求事項はない。図１３Ｃ〜１３Ｄの限定されない例において、概ね平坦な遮蔽板は、「ゆるやかに下向きに窪んで」いて、ユーザーの頭皮の一部を配置できるゆるやかで浅くかつ広い空洞を提供している。
【００８７】
いくつかの実施形態において、遮蔽板２２０は、図１４に示されるように複数の歯を含んでいてもよい。図１４〜２９の例において、各歯は主要部３３０と遠位セクション２４０とを備えている。いくつかの実施形態において、歯の間のギャップ（例えば、一対の歯の上部２４６と底部２４８との間の位置における最も狭いギャップ又は最小ギャップ３７０）は、上記の溝４８０と関連していてもよい。
【００８８】
図１５〜２９の限定されない例において、遮蔽板２２０は厳密に２２の歯を含む歯配列を含んでいるが、これには限定されない。いくつかの実施形態において、遮蔽板２２０は少なくとも５、少なくとも８、少なくとも１０、少なくとも１２、少なくとも２０、又は厳密に２２の概ね並んだ歯を備えていてもよい。図１５〜２１の限定されない例において、歯は全て厳密に互いに平行であるが、これには限定されない。いくつかの実施形態において、「概ね並んだ歯」は概ね平行であってもよく、又は遠位端２２４に近いほど互いから分岐していてもよく、又は収束していてもよい。
【００８９】
図１５の限定されない例の歯の顕著な特徴の１つは、これらの歯が比較的長い又は背が高いかつ狭い、及び／又は比較的長い又は背が高いかつ細いことである。
【００９０】
本開示において、歯（具体的には、歯軸に沿った任意の位置における歯）の「幅」は、横軸２６０に沿った歯の寸法を意味する。以下に述べるように（図２１を参照）、いずれの歯についても、この幅は遮蔽板厚さ軸２７０（又は歯軸、又は縦軸２５０）に沿った位置ごとに異なっていてもよい。図１７、１９及び２１の限定されない例において、各歯２４８の「底部」の「幅」は３６０によって示され、一方、各歯の「上端」付近の幅は３５０によって示されている。
【００９１】
本開示において、歯の「厚さ」又は「高さ」は、遮蔽板厚さ軸２７０に沿った歯の寸法である。図から明らかなように、高さ又は厚さは、横軸２６０、歯軸、又は縦軸２５０に沿って異なっていてもよい。
【００９２】
前述のように、図１４の限定されない例の歯の顕著な特徴の１つは、これらの歯が比較的長い又は背が高いかつ狭い、及び／又は比較的長い又は背が高いかつ薄いことである。すなわち、これらの歯は「大きなアスペクト比」を有している。いくつかの実施形態においては、遮蔽板２２０の歯配列の各歯について、又は歯配列の歯の大多数について（又は歯配列の歯の少なくとも３０％、又は少なくとも７０％について−歯配列の歯の可能の数は上に列記）、ＴＯＯＴＨ＿ＲＡＴＩＯ＿１、ＴＯＯＴＨ＿ＲＡＴＩＯ＿２、及びＴＯＯＴＨ＿ＲＡＴＩＯ＿３のうちの少なくとも１つは、少なくとも１０、少なくとも１５、少なくとも２０、少なくとも２５、少なくとも３０、又は少なくとも４０であってよい。
【００９３】
ＴＯＯＴＨ＿ＲＡＴＩＯ＿１は、歯の長さと歯の幅の平均との比率として定義される（具体的には、歯の幅の平均は遮蔽板厚さ軸２７０及び歯の長さに沿った全ての位置についての幅の平均であり、歯の長さは遠位の先細りセクション２４０（髪貫通プローブセクション２４０）を含んでも含まなくてもよい）。
【００９４】
ＴＯＯＴＨ＿ＲＡＴＩＯ＿２は、歯の長さと歯の厚さの平均との比率として定義される（具体的には、歯の厚さの平均は横軸２６０及び歯の長さに沿った歯の全ての位置についての厚さの平均であり、歯の長さは遠位の先細りセクション２４０（髪貫通プローブセクション２４０）を含んでも含まなくてもよい）。
【００９５】
ＴＯＯＴＨ＿ＲＡＴＩＯ＿３は、歯の長さと歯の断面面積の平均との比率である（図２１は歯の「切片」又は断面を示す）。ＴＯＯＴＨ＿ＲＡＴＩＯ＿３は歯の長さに沿って平均され、歯の長さは遠位の先細りセクション２４０（髪貫通プローブセクション）を含んでも含まなくてもよい）。
【００９６】
頭皮を保護しながら髪の根元の一時染毛を容易にするもう１つの顕著な特徴は、「歯がその底部で比較的広く」、一方その上端付近では「比較的狭い」ことである。
【００９７】
いくつかの実施形態において、この機能を奏するために、歯の断面は三角形、例えば、底辺が広く頂点が狭い三角形であってよい。これが図１５に示されている。
【００９８】
更に図１５には、根元が白髪になった髪を処理して（例えば、根元の）髪の房を黒のヘアカラーで被覆するプロセスが示されている。すなわち、限定されない一例において、図１５Ａは処理「前」を、図１５Ｂは噴霧プロセスの一例を、図１５Ｃは処理「後」の髪の房を示している。
【００９９】
図１４〜２１の限定されない例において、歯は全て同じの形状と断面（必ずしも長さは同じではない）を有する。しかし明らかにこれには限定されず、いくつかの実施形態において、歯の寸法、及び／又は複数の歯（例えば、横に隣接する歯）の間の幾何学的関係を表す寸法（例えば、歯間のギャップの距離）の間にばらつきがあってもよい。また、歯の断面は、「歯軸」に沿って縦方向に異なってもよい（図示せず）。
【０１００】
更に、図１５〜２９の限定されない例において、歯は厳密に直線状である、すなわち、内部的「歯軸」（具体的には、歯の細長い又は中心の軸）は、常に縦軸２５０と一致する。しかしこれには限定されず、「非常に短い」距離にわたる「局所的な歯軸」が直線である場合でも、歯が完全には直線でないときに、中心の／細長い歯軸（図示せず）は「直線」である代わりに湾曲又は鋭角を示してもよく、また、歯軸を、多くの実施形態において縦軸２５０や近似直線と概ね一致する空間内の１次元多様体として考えることが可能であることを理解されたい。
【０１０１】
図１４〜２９の装置の顕著な特徴の１つは、（ｉ）歯の幅が歯の「高さ」によって（例えば、遮蔽板厚さ軸２７０に沿って）異なり、（ｉｉ）この幅機能が「非対称の幅輪郭」を示す（具体的には、歯の長さに沿った１つ又は複数の位置−例えば、歯の長さ上の大多数の位置、又はその長さが少なくとも２ｃｍの歯の「所定のセクション」の大多数の位置における歯の幅を指す）ことである。
【０１０２】
本開示に記載されたいくつかの特徴は、１つ又は複数の歯の主要部３３０の「所定のセクション」又は「検査セクション」（具体的には、「長手方向セクション」又は「縦セクション」）に関するものであり、このセクションは少なくとも２ｃｍ、少なくとも２．５ｃｍ、少なくとも３ｃｍ、少なくとも３．５ｃｍ、又は少なくとも４ｃｍである。この「縦セクション」は、歯の任意の位置に位置してもよい。いくつかの実施形態において、この「所定のセクション」は、遮蔽板２２０の遠位端付近に、例えば、先細りの遠位セクション２４０（例えば、丸形端などを有するプローブ型遠位セクション）に長さ方向に隣接して（具体的には、遠位セクション２４０と境を接して、又はそこから５ｍｍ、又は１ｃｍの所に）位置してもよい。
【０１０３】
図２１の限定されない例において、歯の断面は三角形（例えば、角が丸い二等辺三角形）である。可能な他の断面形状には、概ね三角形の断面形状の他の例が含まれるがそれらに限定されない。
【０１０４】
図２１の例において、歯は、その底部２４８（例えば、３６０）において比較的広い幅を有し、その上端２４６又はその付近において比較的狭い幅を有する。図２１のもう一つの顕著な特徴は、断面についての最小ギャップ幅（具体的には、横に隣接する一対の歯の間の最小ギャップ幅、例えば、歯３３０Ｉと歯３３０Ｊとの間のギャップ３７０Ｉ）が歯の底部２４８に、又はその付近に位置していることである。
【０１０５】
この「最小ギャップ」を歯の底部付近に位置づけることによって、髪の房３１０の根元が最小ギャップ距離３７０の位置の上の、横に隣接する歯の間の空隙領域３９０内に位置することが可能になる。いくつかの実施形態において、（根元より上の髪の房のより遠位の部分だけでなく）髪の房３１０の根元に最小ギャップ距離３７０の位置を横断させ、この位置の上にある、各歯の上面によって規定される遮蔽板の「波打つ」上面２８０上の歯間の空隙領域３９０の中に出現させることは有用又は重要である。
【０１０６】
（髪の房の上部だけではなく）髪の房の根元は、最小ギャップ距離３７０の位置の下の（及び遮蔽板２２０の下面２９０の下の）「噴霧から遮蔽された」領域７０４ではなく上面２８０上の「噴霧液に露出される」領域７０２に位置しているので、この「最小ギャップを横断する」髪の根元は、染毛剤噴霧器によって提供された染毛剤を浴びることができる。
【０１０７】
いくつかの実施形態において、平均の、又は個々の空隙の断面は（具体的には、少なくとも２ｃｍ、最後に２．５ｃｍ、少なくとも３ｃｍ、少なくとも４ｃｍ、少なくとも５ｃｍ、又はそれより長い縦セクションについて）、最大６ｍｍ＾２、最大５ｍｍ＾２、最大４ｍｍ＾２、最大３ｍｍ＾２、又は最大２ｍｍ＾２であってよく（具体的には、単一の歯又は単一の溝について、若しくは任意の数の歯、溝、又は空隙の配列について、すなわち、配列の平均について、若しくは溝、歯、又は空隙の配列内の任意の数の個々について）、いくつかの実施形態においては、平均又は個々の空隙の断面は少なくとも０．５ｍｍ＾２、又は少なくとも１ｍｍ＾２であってよい。
【０１０８】
この「空隙断面」は概してセクションにおいて広く存在している、又はセクションの少なくともかなりの数の少数の位置、少なくとも大多数の位置（「ほとんどの位置」と同じ意味）、少なくとも相当な数の、又は非常に相当な数の大多数の位置において広く存在している。これは、歯配列の任意の数の歯（又は歯によって形成される空隙）、又は溝又は空隙の配列の任意の数の溝又は空隙に概して当てはまる、及び／又は歯の配列の歯（すなわち、歯によって形成された残りの空隙）のかなりの数の少数、大多数、相当な数の大多数、又は非常に相当な数の大多数に個々に当てはまる。
【０１０９】
いくつかの実施形態において、平均の、又は個々の歯の断面（具体的には、少なくとも２ｃｍ、最後に２．５ｃｍ、少なくとも３ｃｍ、少なくとも４ｃｍ、少なくとも５ｃｍ、又はそれより長い縦セクションについて）は、最大６ｍｍ＾２、最大５ｍｍ＾２、最大４ｍｍ＾２、最大３ｍｍ＾２、又は最大２ｍｍ＾２であってよく（具体的には、単一の歯について、又は任意の数の歯について、すなわち、歯の配列内の任意の数の配列の平均又個々について）、いくつかの実施形態においては、平均の又は個々の空隙の断面は少なくとも０．５ｍｍ＾２、又は少なくとも１ｍｍ＾２であってよい。
【０１１０】
この「歯の断面」は、概してセクションにわたって広く存在している、又はセクションの少なくともかなりの数の少数の位置、少なくとも大多数の位置（「ほとんどの位置」と同じ意味）、又は少なくとも相当な数の、又は非常に相当な数の大多数の位置において広く存在している。これは、歯配列の任意の数の歯（又は歯によって形成される空隙）に概して当てはまる、及び／又は歯配列の歯（すなわち、歯によって形成される残りの空隙）のかなりの数の少数、大多数、相当な数の大多数、又は非常にかなりの数の大多数に個々に当てはまる。
【０１１１】
図から分かるように、「空隙領域３９０の上面」及び／又は「歯の上端位置２４６（３４０によって示される）を連結することによって規定される上面」は、（例えば、「最小ギャップ距離」３７０の「最小ギャップ位置」の上の）遮蔽板又は歯の上面２８０からずれている。
【０１１２】
図２１から分かる顕著な特徴の１つは、上面２８０は（横軸に沿って）高さが変動していて比較的粗いのに対し、下面２９０は比較的滑らかである（局所的には概ね平面である）ということである。いくつかの実施形態において、（ｉ）下面２９０が比較的滑らかで、（ｉｉ）最小ギャップ距離３７０の最小ギャップ位置が歯の底部２４８にあるか、そこに近接している形状は、髪の房３１０の根元が最小ギャップ位置３７０を横断するのを助けるのに有用である。
【０１１３】
一方、最小ギャップ距離３７０がこれより高ければ、及び／又は下面に大きな「高さ／上下のばらつき」があれば、（発明の範囲から逸脱はしないが）少なくともある程度本装置の有効性が減少するであろう。染毛が髪の房３１０の根元よりそのより高い部分に集中しやすくなるからである。
【０１１４】
これまでの段落（及び他の全ての特徴、又は本明細書で説明した図面）は、いくつかの実施形態が示すいくつかの特徴に言及しているが、それらが限定的であることを意図してはいない。
【０１１５】
いくつかの実施形態において、上面２８０は横軸に沿って波打つ又は振動する傾向があり、一方、下面にはそのような波打ちや振動がない（若しくはわずかに存在するに過ぎない）ので、上面２８０は粗い面であり（すなわち、粗い形状を有し）、一方、下面２９０は「滑らかな」面である。
【０１１６】
図１５及び図１６と図１８との比較からも分かるように、正面における歯の幅は（上から見た）正面上の歯の底部と上端とで大きく異なるが（３５０と３６０を比較されたい）、図１８では下面２９０が非常に滑らかであることが分かる。図１８において、背面２９０は、比較的狭いギャップ３７０によって区切られた、より広い歯（具体的には、歯の底部２４８又はその付近；対照的に、正面では上から見た場合幅が大きく変動している）を備える。
【０１１７】
限定されない例において、狭いギャップの「最小ギャップ幅」３７０は、少なくとも０．２ｍｍ、少なくとも０．３ｍｍ、又は少なくとも０．４ｍｍである。限定されない例において、狭いギャップの「最小ギャップ幅」３７０は、最大１．２ｍｍ、最大１ｍｍ、最大０．８ｍｍ、最大０．７ｍｍ、又は最大０．６ｍｍである。これらは、歯配列の歯の任意の数（具体的には、かなりの数の少数、大多数、相当な数の大多数、非常に相当な数の大多数）に該当し、及び／又は歯又は溝の任意の長さにわたる平均である（具体的には、「セクション」における、少なくともかなりの数の少数の位置、少なくとも大多数の位置（「ほとんど位置」と同じ意味）、若しくは少なくとも相当な又は非常に相当な数の大多数の位置についての平均である）。  
【０１１８】
図２１Ｄにおいて、様々な歯の「最も高い」すなわち「上端」は、２４６によって示されている。「底部」、すなわち遮蔽板厚さ軸２７０の最も低い位置は、２４８によって示される。「中間」点（歯の底部の上面が点の軌跡であるとすると、これも点の軌跡になる）２４９も図２１Ｄに示されている。「点の軌跡２４９」の全ての点は（すなわち、上点中間点）は、底部２４８上で同じ「高さ」９２３になるだろう。図２３Ｃも参照されたい。
【０１１９】
いくつかの実施形態において、歯の２ｃｍの長さ方向の「検査セクション」又は「所定のセクション」内の位置の大多数（又は相当な数の大多数−すなわち、少なくとも７０％、又は８０％）について、「歯の最大幅３６０」（いくつかの実施形態において、最大幅３６０は歯の下側半分、下側３０％、下側２０％、又は下側１０％に位置する、ここで歯の上側セクション及び下側セクションは厚さ軸２７０に沿って、かつ歯の上端２４６と底部２４８に対して規定される）と「最小ギャップ距離」３７０との比率は、少なくとも１３、少なくとも１．５、少なくとも１．７、又は少なくとも２である。
【０１２０】
当業者は、例えば、図１９Ａ及び１８を参照されたい。上記の「比率特性」は、少なくとも２、少なくとも３、少なくとも４、少なくとも５、少なくとも７、少なくとも１０、少なくとも１２、又は少なくとも１５の連続した歯の「歯の組」に対して適用される。いくつかの実施形態において、この特徴は、「隣接するギャップの対」３７０（図１７Ａにおいて、３７０Ｉと３７０Ｊとは「隣接するギャップの対」であり、３７０Ｉと３７０Ｋとは「隣接するギャップの対」ではない）の大多数について、隣接する「ギャップ」３７０の間の距離（又は、隣接するギャップの対の間の距離の平均）は、最大２ｃｍ、最大１．７ｃｍ、又は最大１．５ｃｍになるように提供されてよい。
【０１２１】
（ｉ）「遮蔽板の物質２２０」、又は「歯の物質３３０」（例えば、プラスチック、又は他の任意の適切な材料）と共に（ｉｉ）空隙、又は空虚な空間（例えば、３９０、７０２、又は７０４）を含む、２Ｄ面の、又は３Ｄの空間体積（すなわち、「検査面積」、又は「検査体積」）の「フィルファクター」を定義することは可能である。「フィルファクター」とは、（ｉ）物質によって占められる、「検査面積」（又は「検査体積」）内の全面積（又は全体積）を（ｉｉ）検査体積の全体の大きさ（具体的には、領域、又は体積）で割った比を意味する。
【０１２２】
「検査体積」の１つの例が、図２２Ａ〜２２Ｂに示されている（８１０で示される）。縦寸法２５０における検査体積の「寸法」すなわち「長さ」は、少なくとも１ｃｍ、少なくとも２ｃｍ、又は少なくとも３ｃｍであってよい。「横方向」２６０における検査体積の「長さ」の「寸法」は、少なくとも０．５ｃｍ、少なくとも１ｃｍ、少なくとも１．５ｃｍ、又は少なくとも２ｃｍであってよい。いくつかの実施形態において、「フィルファクター」は、少なくとも６０％、少なくとも７０％、少なくとも７５％、少なくとも８０％、少なくとも８５％、少なくとも９０％、又は少なくとも９５％であってよい。
【０１２３】
検査面積又は検査体積は、概ね平坦であってよい、例えば、横方向において、下面２９０の輪郭に続く遮蔽板の中間線又は中間曲線（具体的には、隣接する歯の「中間点」（ここで、中間点は歯の上端２４６と底部２４８との「平均位置」によって規定される）を連結する中間線）の輪郭に続いて概ね平坦であってよい。
【０１２４】
いくつかの実施形態において、横方向に沿った「横方向」に沿った方向において、検査面積又は検査体積は、複数の細長い溝を備える（具体的には、これらの溝は「空隙」であり、「最小ギャップ３７０」、又はその若干上又は若干下の位置と一致してもよく、各溝の長さは少なくとも０．５ｃｍ、１ｃｍ、１．５ｃｍ、又は２ｃｍであり、以下のいずれかである：（ｉ）「横に隣接する溝の間の横距離」の平均は最大４ｍｍ、最大３ｍｍ、最大２．５ｍｍ、又は最大２ｍｍである；（ｉｉ）溝の大多数（又は溝の相当な数の大多数、例えば、溝の少なくとも７０％、又は８０％）は、少なくとも０．２ｍｍ、又は少なくとも０．３ｍｍ、及び最大１．２ｍｍ、最大１ｍｍ、最大０．８ｍｍ、最大０．７ｍｍ、又は最大０．６ｍｍである縦平均幅を有する；（ｉｉｉ）溝間の横距離と平均溝幅との比率は、最大４、又は最大３である（この比率が「高すぎる」と、及び／又は溝が横に「互いに遠く離れて」いると、髪の房が遮蔽板２２０を上方に横断する機会が減少する場合がある）。
【０１２５】
図２３は、全ての歯の断面が同一ではない使用例に関する。図２３Ａにおいて、歯の上端は２４６、底部は２４８、「中間点」又は中間線は２４９である。この線は、２つの領域−歯の上端２４６により近接した、２４９の上の「より高い領域」（この領域は概してより狭くなる）及び歯の底部２４６により近接した、２４９の下の「より低い領域」（この領域は概してより狭くなる）を区分けしている。
【０１２６】
いくつかの実施形態において、２４９の下のこの「より低い領域」における平均の歯の横幅（ｉ）と２４９の上のこの「より高い領域」における平均の歯の横幅（ｉｉ）との比率は、少なくとも１．１、少なくとも１．２、少なくとも１．３、少なくとも１．４、少なくとも１．５、少なくとも１．６、少なくとも１．７、少なくとも１．８、少なくとも１．９、少なくとも２、又は少なくとも２．５であってよい。
【０１２７】
「平均の歯の断面」の幅は、本明細書に開示された任意の技法で平均化されてよい、例えば、歯全体のある領域において歯軸にわたって縦方向に、及び／又は歯配列の任意の歯の組（又はサブセット）の間で平均化されてよい。
【０１２８】
図２４Ｂでは、「より高い領域」は点９１１の上（上端への道の３／４）と定義され、「より低い領域」は点９０９の下（底部への道の３／４）と定義される。
【０１２９】
いくつかの実施形態において、９０９の下のこの「より低い領域」における平均の歯の横幅（ｉ）と９１１の上のこの「より高い領域」における平均の歯の横幅（ｉｉ）との比率は、少なくとも１．３、少なくとも１．５、少なくとも１．７、少なくとも２、少なくとも２．５、少なくとも３、少なくとも４、少なくとも５、少なくとも７、又は少なくとも１０であってよい。「平均の歯の断面」の幅は、本明細書に開示された任意の技法で平均化されてよい、例えば、歯全体のある領域において歯軸にわたって縦方向に、及び／又は歯配列の任意の組（又はサブセット）の間で平均化されてよい。
【０１３０】
図２３Ｃ〜２３Ｄには、空隙、又は溝３９０は、歯とは対照的に、「上端付近でより広く」（「上端付近で」は図２３Ｃにおける中間高さレベル９２３より上、かつ図２３Ｄにおける４分の３の高さレベル９２５の上と定義される）「底部付近でより狭い」（「上端付近」では、図２３Ｃにおける中間高さレベル９２３の下、かつ図２３Ｄにおける４分の１の高さレベル９２７の下と定義される）であってよいことが示されている。  
【０１３１】
空隙についての高さ比は、より狭い領域の平均高さによって割られたより広い領域の平均高さを意味し、「より幅広い領域」とは上部であり、「より狭い領域」とは下部であり、この原則は少なくとも図２３の例においては同様である。図２３Ｃにおいて（すなわち、「中間高さレベル」の場合）、空隙についての高さ比は、少なくとも１．１、少なくとも１．２、少なくとも１．３、少なくとも１．４、少なくとも１．５、少なくとも１．６、少なくとも１．７、少なくとも１．８、少なくとも１．９、少なくとも２、又は少なくとも２．５であってよく、図２３Ｄにおいては（４分の１のレベル、又は４分の３のレベルの場合）、少なくとも１．３、少なくとも１．５、少なくとも１．７、少なくとも２、少なくとも２．５、少なくとも３、少なくとも４、少なくとも５、少なくとも７、又は少なくとも１０であってよい。
【０１３２】
前述のように、いくつかの実施形態において、歯は、歯３３０の底部２４８により近い領域はより幅広い／大きい幅を有する傾向があり、歯３３０の上端２４８により近い領域はより狭い／より小さな幅を有する傾向がある非対称の幅輪郭を持っている。前述のように、これによって、遮蔽板２２０の上面２８０は比較的粗い形状（例えば、波打つ形状）を有し、遮蔽板２２０の下面２９０は比較的「滑らかな」形状を有するようになる。
【０１３３】
いくつかの実施形態において、（例えば、最小ギャップ３７０の位置が低い方の境界になっている歯の各対ごとに）小さな円柱８５０（例えば、長さが１ｍｍ、２ｍｍ、３ｍｍ、５ｍｍ、１ｃｍ、１．５ｃｍ、２ｃｍ、又は２．５ｃｍの円柱）を上面２８０上を横方向に移動させた場合、この円柱は、上面２８０が形状的に粗いために、上面上を移動するとともに昇り下りするようになる。これが図２４Ａ〜２４Ｆのフレームに示されている。
【０１３４】
可能な円柱の大きさを表す様々な数値は、円柱の半径又は直径を指す。一例において、円柱８５０は０．６ｍｍの半径又は直径を有する。別の例において、円柱８５０は０．８ｍｍの半径又は直径を有する。一例において、円柱８５０は０．６ｍｍの半径又は直径を有する。別の例において、円柱８５０は１ｍｍの半径又は直径を有する。一例において、円柱は０．６ｍｍの半径又は直径を有する。別の例において、円柱８５０は１．３ｍｍの半径又は直径を有する。
【０１３５】
円柱の可能な最小半径（又は最小直径）は、０．４ｍｍ、０．５ｍｍ、０．６ｍｍ、０．８ｍｍ、１ｍｍ、１．２ｍｍ、１．４ｍｍ、１．６ｍｍ、１．８ｍｍ、及び２ｍｍである。円柱の可能な最大半径（又は最大直径）は、２．５ｍｍ、２ｍｍ、１．８ｍｍ、１．６ｍｍ、１．４ｍｍ、１．２ｍｍ、１ｍｍ、０．８ｍｍ、及び０．４ｍｍである。（本特徴について、又は本明細書における任意の特徴について）範囲は任意の最小値と最大値を組み合わせて設定してもよい。
【０１３６】
図２５Ａ〜２５Ｂには、図２４の「実験」で得た円柱の軌跡が示されている。波立ち及び／又は振動の規模／大きさ（具体的には、「高さ」方向の規模／大きさ）はＯＳＣ１によって示され、少なくとも０．４ｍｍ、少なくとも０．６ｍｍ、少なくとも０．８ｍｍ、少なくとも１ｍｍ、少なくとも１．２ｍｍ、少なくとも１．４ｍｍ、少なくとも１．６ｍｍ、少なくとも１．８ｍｍ、又は少なくとも２ｍｍであってよい。
【０１３７】
（最終的に面２８０を表す）この「振動」又は「波立ち」の大きさは、横方向に沿って「別々の」機会に、例えば、少なくとも３回、少なくとも５回、少なくとも７回、少なくとも１０回、又は少なくとも１３回、取得してもよい（具体的には、少なくとも１ｍｍ、少なくとも１．５、少なくとも１．８ｍｍ、少なくとも２ｍｍ、又は少なくとも２．５ｍｍだけ「横方向」に離れて行ってもよい）。
【０１３８】
図２４Ａの限定されない例において、このような「別々の機会」の間の横に離れた距離は、面２８０の概ね周期的な形態（具体的には、横方向２６０における概ね周期的な形態）に対応する。しかし、面２８０は周期的であることを要求されないことを留意されたい。
【０１３９】
図２６において、下面２９０について、同じ円柱を用いて図２４の実験を繰り返す。図２７において、軌跡が示され、波立ち及び／又は振動の規模／大きさ（具体的には、「高さ」方向の規模／大きさ）がＯＳＣ２によって示され、最大１ｍｍ、最大０．５ｍｍ、最大０．３ｍｍ、最大０．３ｍｍ、又は最大０．１ｍｍであってよい。いくつかの実施形態においては、ＯＳＣ２が「意味を持つ」ために、これを一度だけ取得する必要がある。また、いくつかの実施形態においては、ＯＳＣ２を、少なくとも１ｍｍ、１．５ｍｍ、又は２ｍｍだけ離れた「別々の横位置」において少なくとも２回、３回、４回、５回、又は７回取得する必要がある。
【０１４０】
また、いくつかの実施形態においては、ＯＳＣ１を、ＯＳＣ１とＯＳＣ２との比が少なくとも２、少なくとも３、少なくとも５、少なくとも７、又は少なくとも１０になるようにＯＳＣ２より大きくする。角が丸い三角形については、ＯＳＣ１／ＯＳＣ２はかなり大きいかもしれないが、同様に概ね三角形である他の形状については（例えば、底辺の「下」に何らかの構造がある場合）、ＯＳＣ１／ＯＳＣ２はそれほど大きくないかもしれない。
【０１４１】
本発明の様々な実施形態は、（例えば、噴霧用染毛剤を用いた）染毛方法、（例えば、遮蔽板２２０と噴霧器アセンブリ４００とを備える）染毛装置、（例えば、装置２００と噴霧器アセンブリ４００又は噴霧器アセンブリの一部を備える）染毛用キット、及び染毛に有用な遮蔽板２２０に関する。いくつかの実施形態において、遮蔽板２２０と噴霧器アセンブリ４００は、別個に、又は（例えば、恒久的に、又は取り外し可能に互いに取り付けられる）キットとして販売されてよい。
【０１４２】
また、遮蔽板と噴霧器アセンブリを備える「システム」又は装置を、遮蔽板と噴霧器アセンブリとを連結された状態で備える「キット」（例えば、少なくともそれぞれの一部を互いに取り付けることによって組み立てられるキット）として提供してもよい。
【０１４３】
限定されない１つの例において、単一のキットは、噴霧器アセンブリと、複数の長さを有する遮蔽板２２０とを備え、遮蔽板２２０は、例えば、４ｃｍ未満、又は４．５ｃｍ未満の（例えば、歯の上端から底部までの）縦の長さを有する「短い遮蔽板」と、５ｃｍ超、５．５ｃｍ超、６ｃｍ超、又は６．５ｃｍ超の（例えば、歯の上端から底部までの）縦の長さを有する「長い遮蔽板」である（具体的には、いかなる組み合わせであってもよい）。
【０１４４】
図２８は、上記のキットを現在開示されている任意のシステムに組み込むルーチンを示す。図２９は染毛装置を使用するフローチャートである（図１１〜１２も参照）。図３０は噴霧器アセンブリを示す。例えば、そのオリフィスは図３０Ａでは０．３ｍｍの幅を有する。本噴霧器アセンブリは、比較的小さい液滴（例えば、平均１００ミクロン未満、８０ミクロン未満、６０ミクロン未満、又は５０ミクロン未満の液滴）を生成する。オリフィスの幅は０．６ｍｍ未満、又は０．５ｍｍ未満であってもよい。
【０１４５】
図３０Ｂの顕著な特徴の１つは、「四角形のスプレーインサート」である（例えば、長さと幅の比率は、製造されるスプレー（概ね水平な噴霧形状を示す点線を参照）がファンスプレー、例えば、概ね四角形の断面を有するファンスプレーになるように少なくとも１．２、又は少なくとも１．４である）。
【０１４６】
特徴の全般的説明  
前述のように、本発明のいくつかの実施形態は、細長い溝の配列、又は細長い歯の配列に関するものである。歯又は溝の様々な特性（例えば、幅特性、アスペクト比、断面形状、及び歯付近のギャップ距離に関する特性）は、歯の大多数について、及び／又は（歯又は溝の全体における、又は所定の細長い「セクション」における）細長い歯の軸又は溝の軸に沿った位置の大多数において広く存在することを要求されるものではないことを理解されたい。
【０１４７】
「歯の大多数」（具体的には、複数の歯のうちの大多数）について、若しくは空隙又は溝の大多数（具体的には、複数の空隙又は溝の大多数）について本明細書に開示された任意の特徴又は特徴の組み合わせ（具体的には、任意の特徴又は特徴の組み合わせ）は、いくつかの別の実施形態において、歯、空隙、又は溝の「かなりの数の少数」（具体的には、少なくとも３０％）、「相当な数の大多数」（具体的には、少なくとも７０％）、又は「非常に相当な数の大多数」（具体的には、少なくとも９０％）に対して適用されてもよい。
【０１４８】
同様に、縦軸に沿った、及び／又は歯の長さに沿った、及び／又は溝の長さ、又は隣接する歯の間の空隙の長さに沿った、歯、溝、空隙又は遮蔽板の「セクション」（具体的には、縦軸又は中心軸に沿ったセクション）内の「ほとんどの位置」（具体的には、位置の少なくとも５０％）について本発明に開示された任意の特徴又は特徴の組み合わせはまた、当該セクション内の位置の「かなりの数の少数」（具体的には、少なくとも３０％）、当該セクション内の位置の「相当な数の大多数」（具体的には、少なくとも７０％）、縦軸に沿った当該セクション内の位置の歯の「非常に相当な数の大多数」（具体的には、少なくとも９０％）に対して適用してもよい。
【０１４９】
いくつかの特徴（又は特徴の組み合わせ）は、所定の長さを有する「歯のセクション」又は「遮蔽板のセクション」について開示されたものである。任意の特徴又は特徴の組み合わせについて、この長さは少なくとも２ｃｍ、少なくとも２．５ｃｍ、少なくとも３ｃｍ、少なくとも３．５ｃｍ、又は少なくとも４ｃｍであってよい。
【０１５０】
ある特徴（又は特徴の組み合わせ）が溝、空隙、又は歯の数の大多数、相当な小数、相当な数の大多数、又は非常に相当な数の大多数について開示されている場合、その歯、溝、又は空隙の数は、本明細書に開示された任意の特徴（特徴の組み合わせ）について、少なくとも８，少なくとも１０，少なくとも１２，少なくとも１４，少なくとも１６，少なくとも１８、又は少なくとも２０であってよい。
【０１５１】
「大多数」についての説明は、「かなりの数の少数」（少なくとも３０％）、又は「相当な数の大多数」（具体的には、少なくとも７０％）、又は「非常に相当な数の大多数」（具体的には、少なくとも９０％）に対しても適用してよい。当業者は、遮蔽板又は任意の他の構成要素の適切な材料をどのように選択するかを理解しているだろう。限定されない１つの例において、遮蔽板は、本開示を読んだ当業者にとって明白な、プラスチック、又は他の任意の材料から形成される。
【０１５２】
いくつかの実施形態において、現在開示されている任意のシステムを構成するためのキットが説明される。当該キットは、互いに連結されたとき、現在開示されている任意の染毛装置を形成する髪貫通遮蔽板（ｉ）と噴霧器アセンブリ（ｉｉ）とを含んでもよい（すなわち、当該染毛装置は、遮蔽板と噴霧器アセンブリの両方を備える）。
【０１５３】
一例において、単一のキットが、より長い遮蔽板及びより短い遮蔽板などの複数の遮蔽板を含んでもよい。２つの遮蔽板の長さ（具体的には、縦方向の長さ）の間の比率は、少なくとも１．３、少なくとも１．５、少なくとも１．７、又は少なくとも２であってよい。いくつかの実施形態において、キットは、噴霧器アセンブリと髪の遮蔽板とを組み合わせ、かつ／又は連結するためのマニュアル（例えば、図２８に係わるマニュアル）を含んでもよい。
【０１５４】
いくつかの実施形態において、（例えば、髪を被覆する目的で）「速乾性」染毛組成物を髪に提供したとき、当該染毛組成物は８分未満、６分未満、４分未満、又は２分未満で髪の表面で乾燥してもよい。
【０１５５】
一般に、「速乾性」の組成物又は薬剤は、水より早く乾燥する。一例において、「速乾性」の組成物又は薬剤の液滴（例えば、スポイトからの液滴）を室温条件下で磁器プレートにたらすと、水より早く乾燥するだろう（すなわち、同様の磁器プレート実験を実施済み）。いくつかの実施形態において、「速乾性」の組成物又は薬剤の乾燥時間は、水の乾燥時間よりアルコールの乾燥時間に近い（すなわち、同一の磁器プレート実験を実施済み）かもしれない。
【０１５６】
図１１の顕著な特徴の１つは、遮蔽板が比較的長く狭いことである。いくつかの実施形態において、遮蔽板の幅に対する長さの比率は、少なくとも１．２５、少なくとも１．５、少なくとも１．７、又は少なくとも２である。「狭い遮蔽板」（具体的には、幅が最大５ｃｍ、最大４ｃｍ、最大３ｃｍ、又は最大２ｃｍのもの）を用いると、「デリケートな領域」を処理するのに有用な場合があるが、これは要求事項ではない。
【０１５７】
第１の追加説明
ここで初めて髪の根元を染める染毛装置を開示する。当該染毛装置は、ａ）上面２８０及び下面２９０と近位端２２８及び遠位端２２４とを有する歯配列を含む髪貫通遮蔽板２２０であって、該歯配列は狭い間隔で配置された少なくとも８（又は少なくとも１０、少なくとも１２、少なくとも１４、少なくとも１６、又は少なくとも１０）の歯を含み、前記歯配列の歯の大多数（又は「相当な」又は「非常に相当な」大多数）について、ｉ）前記大多数の各歯は主要部３３０と髪の貫通を容易にするための先細りの遠位部２４０とを有し、ｉｉ）前記大多数の各歯の前記主要部３３０は少なくとも２．５ｃｍの長さを有するセクションを有し、該セクション内の歯軸に沿ったほとんどの位置について、Ａ）各歯の断面は、概して各歯の上端２４８付近でより狭くなり、概して各歯の底部２４６付近でより広くなるような、遮蔽板厚さ軸２７０に沿った非対称の幅輪郭を有し、Ｂ）前記各歯の断面は５ｍｍ＾２未満（いくつかの実施形態において、３ｍｍ＾２未満、２．５ｍｍ＾２未満、又は２ｍｍ＾２未満、いくつかの実施形態において、少なくとも０．５ｍｍ＾２、少なくとも０．７５ｍｍ＾２、又は少なくとも１ｍｍ＾２）であり、Ｃ）各歯は横に隣接する歯から隔てられて０．３ｍｍ〜１ｍｍの最小ギャップ距離３７０を設けている、髪貫通遮蔽板と、
ｂ）前記髪貫通遮蔽板に連結された噴霧器アセンブリ４００であって、前記遮蔽板の上面２８０より高い噴霧剤排出口を有し、前記下面より下の空間が前記髪貫通遮蔽板によって非粘性染毛剤から保護されるように、前記遮蔽板２２０の上面２８０に対し、前記歯配列によって規定される近位−遠位方向に霧状に前記非粘性染毛剤を排出する噴霧器アセンブリと、を含む。
【０１５８】
いくつかの実施形態において、各歯は、その上端３５２と底部３６２の中間にある上下中間点を有し、前記歯配列の歯の大多数について及び前記セクション内の歯軸に沿ったほとんどの位置について、ｉ）前記上下中間点より下の平均歯幅を表す第１の平均歯幅とｉｉ）前記上下中間点より上の平均歯幅を表す第２の平均歯幅との幅比は少なくとも１．２（又は少なくとも１．３、少なくとも１．７、又は少なくとも２）である。
【０１５９】
一例において、前記歯の大多数について及び前記歯軸に沿ったほとんどの位置について、前記幅比は少なくとも１．６である。いくつかの実施形態において、前記歯の大多数について及び前記歯軸に沿ったほとんどの位置について、前記歯の断面は５ｍｍ＾２未満、又は３ｍｍ＾２未満である。
【０１６０】
いくつかの実施形態において、前記歯の大多数について及び前記歯軸に沿ったほとんどの位置について、ｉ）横に隣接する歯Ｔ１とＴ２の各対は、上下限を有する高さ範囲内にある前記横に隣接する歯の中間に歯間横空隙３９０を形成するように位置しており、Ａ）前記上限は前記歯Ｔ１の上部２４６と前記歯Ｔ２の上部２４６のうちの低い方の高さであり、Ｂ）前記下限は前記歯Ｔ１の底部２４６と前記歯Ｔ２の底部２４６のうちの高い方の高さであり、ｉｉ）前記歯間空隙の断面は、概して前記歯間空隙３９０の上部付近でより広く、概して前記歯間空隙３９０の下部付近でより狭くなるような、前記遮蔽板厚さ軸２７０に沿った非対称の幅輪郭を有する。
【０１６１】
いくつかの実施形態において、ｉ）各空隙は、前記高さ範囲の上下限の中間である上下空隙中間高さレベル９２３を有し、ｉｉ）前記歯配列の歯の大多数について及び前記セクション内の歯軸に沿ったほとんどの位置について、ｉ）前記上下空隙中間高さレベルより上の平均空隙幅を表す第１の平均空隙幅とｉｉ）前記上下空隙中間高さレベルより下の平均空隙幅を表す第２の平均空隙幅との幅比は１．１、少なくとも１．２、少なくとも１．４、少なくとも１．５、少なくとも１．６、少なくとも１．８、又は少なくとも２である。
【０１６２】
ここで初めて髪の根元を染める染毛装置を開示する。当該染毛装置は、ａ）上面２８０と下面２９０とを有する髪貫通遮蔽板２２０であって、その遠位端に位置する複数の細長い先細りの貫通部（例えば、２ｍｍ、３ｍｍ、又は４ｍｍ、及び少なくとも１．５又は少なくとも２の長さと平均幅の比を有する貫通部を含み、近位−遠位方向に概ね並び且つ遮蔽板の厚さにわたって横断する少なくとも８の細長くて狭い溝４８０を有する溝配列を含み、少なくとも２．５ｃｍの縦セクションを有し、ｉ）前記溝配列の溝の大多数について（注意−「大多数」特徴については、相当な数の、又は非常に相当な数の大多数であってもよい）、各溝は前記縦セクションの大部分にわたって遮蔽板厚さ横断特性を示し、ｉｉ）溝配列全体の平均の断面最小溝幅は０．３ｍｍ〜１ｍｍ（又は少なくとも０．８ｍｍ）であり、かつ／又は前記溝配列の溝の大多数について、各溝は前記縦サブセクションの大部分にわたって０．３ｍｍ〜１ｍｍの断面最小溝幅を示し、ｉｉｉ）前記溝配列の溝の大多数について、前記縦セクション内の溝アスペクト比は少なくとも３０（又は４０、５０、６０、７０、８０、９０、又は１００）であり、該溝アスペクト比は前記セクション内の溝の長さと前記縦セクションにわたって平均した個別の溝の縦平均断面最小溝幅との比によって規定され、ｉｖ）前記縦セクション内の溝配列全体の平均の溝間横距離は最大３ｍｍであり、かつ／又は最大で前記縦セクション内の溝配列全体の平均の断面最小溝幅の３倍に等しい値である、髪貫通遮蔽板と、ｂ）前記髪貫通遮蔽板に連結された噴霧器アセンブリ４００であって、前記遮蔽板の上面２８０より高い噴霧剤排出口を有し、前記下面より下の空間が前記髪貫通遮蔽板によって非粘性染毛剤から保護されるように、前記遮蔽板２２０の上面２８０に対し、歯の配列によって規定される近位−遠位方向に前記非粘性染毛剤を霧状に排出する噴霧器アセンブリと、を備える。
【０１６３】
いくつかの実施形態において、前記溝の大多数のそれぞれについて及び前記縦セクション内のほとんどの縦位置について、各溝は、その厚さが前記遮蔽板の上面２８０付近より遮蔽板の下面２９０付近において狭くなるような、前記遮蔽板厚さ軸２７０に沿った非対称の幅輪郭を示す。
【０１６４】
いくつかの実施形態において、前記溝配列の最初と最後の溝によって横方向が規定され且つ前記縦セクション内にある領域の大部分について、１ｍｍの地形的長さスケールで前記上面２８０は前記下面２９０に比べて粗い。
【０１６５】
ここで髪の根元を染める染毛装置を開示する。当該染毛装置は、ａ）上面２８０及び下面２９０と近位端２２８及び遠位端２２４とを有する歯配列を含む髪貫通遮蔽板２２０であって、該歯配列は狭い間隔で配置された少なくとも８（又は少なくとも１０、少なくとも１２、少なくとも１４、少なくとも１６、又は少なくとも２０）の歯を有し、前記歯配列の歯の大多数について（又は、いずれの特徴についてもそうであるように、相当な又は非常に相当な数の大多数）、ｉ）前記大多数の各歯は主要部３３０と髪貫通を容易にするための先細りの遠位部２４０とを有し、ｉｉ）前記大多数の各歯は少なくとも２．５ｃｍの長さを有する縦セクションを有し、該縦セクションにおいて、Ａ）前記セクション内の歯のアスペクト比は少なくとも２０であり、該歯のアスペクト比は前記セクション内の歯の長さと前記セクション内の縦に平均した歯の断面の平方根との比によって規定され、Ｂ）前記歯の縦セクション内のほとんどの位置について、歯の断面は５ｍｍ＾２未満であり、Ｃ）前記縦セクション内のほとんどの位置について、各歯は横に隣接する歯から隔てられて０．３ｍｍ〜１ｍｍの最小ギャップ距離３７０を設けている、髪貫通遮蔽板と、ｂ）前記髪貫通遮蔽板に連結された噴霧器アセンブリ４００であって、前記遮蔽板の上面より高い噴霧剤排出口を有し、前記下面より下の空間が前記髪貫通遮蔽板によって非粘性染毛剤から保護されるように、前記遮蔽板２２０の上面２８０に対し、前記歯配列によって規定される近位−遠位方向に霧状に前記非粘性染毛剤を排出する噴霧器アセンブリと、を含む、染毛装置。
【０１６６】
ここで髪の根元を染める染毛装置を開示する。当該染毛装置は、ａ）上面２８０及び下面２９０と近位端２２８及び遠位端２２４とを有する歯配列を含む髪貫通遮蔽板２２０であって、該歯配列は狭い間隔で配置された少なくとも８（又は少なくとも１０、少なくとも１２、少なくとも１４、少なくとも１６、又は少なくとも２０）の歯を含み、前記歯配列の歯の大多数について、ｉ）前記大多数の各歯は主要部３３０と髪貫通を容易にするための先細りの遠位部２４０とを有し、ｉｉ）前記大多数の各歯は少なくとも２．５ｃｍの長さを有する縦セクションを有し、該縦セクションにおいて、Ａ）前記歯の縦セクション内のほとんどの位置について、歯の断面は５ｍｍ＾２未満（又は３ｍｍ＾２未満、２．５ｍｍ＾２未満、又は２ｍｍ＾２未満）であり、Ｂ）各歯は横に隣接する歯から隔てられて最小ギャップ距離３７０を設けており、前記歯の縦セクションの長さと前記横に隣接する歯との縦平均の最小ギャップ距離との比は少なくとも３０（又は少なくとも４０、少なくとも５０、又は少なくとも６０）であり、前記最小ギャップ距離３７０は前記縦セクション内のほとんどの位置について０．３ｍｍ〜１ｍｍである、髪貫通遮蔽板と、ｂ）前記髪貫通遮蔽板に連結された噴霧器アセンブリ４００であって、前記遮蔽板の上面２８０より高い噴霧剤排出口を有し、前記下面より下の空間が前記髪貫通遮蔽板によって非粘性染毛剤から保護されるように、前記遮蔽板２２０の上面２８０に対し、前記歯の配列によって規定される近位−遠位方向に霧状に前記非粘性染毛剤を排出する噴霧器アセンブリと、を含む。
【０１６７】
ここで髪の根元を染める染毛装置を開示する。当該染毛装置は、ａ）上面２８０及び下面２９０と近位端２２８及び遠位端２２４とを有する歯配列を含む髪貫通遮蔽板２２０であって、該歯配列は狭い間隔で配置された少なくとも８（又は少なくとも１０、少なくとも１２、少なくとも１４、少なくとも１６、又は少なくとも２０）の歯を含み、前記歯配列の歯の大多数について（又は、相当な又は非常に相当な数の大多数）、ｉ）前記大多数の各歯は主要部３３０と髪貫通を容易にするための先細りの遠位部２４０とを有し、ｉｉ）前記大多数の各歯の前記主要部３３０は少なくとも２．５ｃｍの長さを有するセクションを有し、該セクション内の歯軸に沿ったほとんどの位置について、Ａ）歯の断面は概ね三角の形状を有し、該概ね三角の形状は前記遮蔽板厚さ軸２７０に沿って上方を指し、Ｂ）前記歯の断面は５ｍｍ＾２未満である、髪貫通遮蔽板と、ｂ）前記髪貫通遮蔽板に連結された噴霧器アセンブリ４００であって、前記遮蔽板の上面２８０より高い噴霧剤排出口を有し、前記下面より下の空間が前記髪貫通遮蔽板によって非粘性染毛剤から保護されるように、前記遮蔽板２２０の上面２８０に対し、前記歯配列によって規定される近位−遠位方向に霧状に前記非粘性染毛剤を排出する噴霧器アセンブリと、を含む。
【０１６８】
第２の追加の説明  
ここで図面を参照されたい。図１〜５は、本実施形態に従って構成され、生え際に沿ってすばやく便利に髪をタッチアップするのに特に有用な染毛剤塗布装置を示す。
【０１６９】
特に図５の分解図に示されるように、染毛剤塗布装置は以下の４つの主要な構成要素を備える：一定の量の染毛組成物を収容する容器１０；容器１０の一端に取り付け可能な付属装置２０；付属装置によって搬送される遮蔽板３０；及び容器１０を囲み、当該塗布装置をつかみかつ操作する取っ手の役割を果たす外部筐体４０。
【０１７０】
図５から明らかなように、容器１０は円柱状に構成された噴霧剤容器であり、任意の公知の構造を有していてもよい。容器１０は、排出される粉末状又は液体状の染毛組成物を一定量含み、好ましくは、更に染毛組成物を噴霧状に排出するための発射ガスを含む。噴霧剤容器１０はその一端に、組成物を排出するノズル状の排出口１２と、通常閉められているが傾斜次第開くバルブ１４又は噴霧状に組成物を排出する押し下げノズル１２とを備える。
【０１７１】
付属装置２０は、ノズル１２を有する噴霧剤容器１０の当該端部に取り外し可能に取り付けられており、遮蔽板３０を備える。遮蔽板３０は、以下により詳細に説明されるように、タッチアップされる髪の根元領域を、バルブ１４が開けられたときにノズル１２を通って排出された染毛剤の噴霧に露出し、同時にその人の頭皮が染毛剤の噴霧に露出するのを効果的に防ぐものである。遮蔽板３０は付属装置２０にしっかりと取り付けられているが、交換又は洗浄目的で取り外し可能に取り付けられてもよい。遮蔽板及び／又は付属装置は一回限りの利用のために形成してもよく、又は繰り返し利用のために形成してもよい。
【０１７２】
付属装置２０の下端２１は円柱状に構成されており、噴霧剤容器１０の外径と概ね等しい内径を有する。付属装置２０の１つの側は、上部リム２３内で終端する傾斜した上壁２２と共に形成されている。上部リム２３は、摩擦又はスナップ嵌めで遮蔽板３０を受け取る突起２４と共に形成されている。付属装置２０が噴霧剤容器１０の上端の上に適用されると、傾斜した壁２２の開口２５は噴霧剤容器のノズル１２と整合し、一方、押しボタン２５は噴霧剤容器のバルブ１４と整合する。この構造では、押しボタンが押し下げられると容器のノズル１２が傾き又は押し下げられてバルブ１４が開き、それによって染毛組成物の噴霧が付属装置の開口２５を介して遮蔽板３０の外面上に生成される。
【０１７３】
特に図５から分かるように、付属装置２０の開口２５は、押しボタン２６と付属装置の周辺壁２３に取り付けられた遮蔽板３０との間に位置する。ノズル１２と付属装置の開口２５は、ファン状の噴霧を遮蔽板の近位（内側）端へ向けて生成されるような方向に向けられる。
【０１７４】
遮蔽板３０は、間隔をあけて配置された複数の歯３１を備える。歯３１は噴霧剤容器１０の縦軸ＬＡに概ね平行に伸び、縦軸ＬＡに概ね直交して伸びる薄板３２と一体に形成されている。特に図３に示されるように、遮蔽板３０の歯３１は概ね直線的な配列で並べられ、この配列は噴霧剤容器の縦軸ＬＡから相殺されている。歯３１は小さな幅と厚さを有し、狭い間隔で配置されている。好ましくは、歯３１はそれぞれ２ｍｍ未満の幅、厚さ、及び間隔を有し、外側の先端に向かって先細っている。
【０１７５】
以下により詳細に説明されるように、生え際に沿って髪をタッチアップするために塗布装置を使用する場合、塗布装置は遮蔽板３０の面３０ａがその人の頭皮に対して押される内面となり、面３０ｂが付属装置２０の開口２２を介して噴霧剤容器１０のノズル１２から排出された染毛組成物の噴霧に露出される外面となるように操作される。
【０１７６】
図５に示されるように、塗布装置の外部筐体４０もまた噴霧剤容器１０の円柱構成に対応する円柱構成を有している。筐体４０の内径は、噴霧剤容器をぴったりと受け取れるように噴霧剤容器１０の外径と概ね等しくなっており、これによって筐体４０は塗布装置をつかみかつ操作する取っ手の役割を果たしている。好ましくは、外部筐体４０の上面４１と付属装置２０の内側リム２７は、全ての部品が例えば、図１、３に示されるように組み立てられたときに適切な外観を塗布装置に示せるように補完的な湾曲構造を有している。
【０１７７】
図１〜５の塗布装置の使用方法は以上の説明から明らかであろう。図１〜３に示されるように塗布装置の全ての部品が組み立てられると、ユーザーは外部筐体４０をつかみ、遮蔽板３０を、面３０ａが自分の頭皮と向かい合いかつそこに押されるような方向に向け、塗布装置を、生え際に沿ってタッチアップされる髪の根元領域が歯３１の間の空間に受け取られるように操作する。
【０１７８】
その後ユーザーは押しボタン２６を押し下げてノズル１２を介して遮蔽板３０の外面３０ｂ上に噴霧を生成し、一方、遮蔽板はタッチアップされる生え際に沿って移動する。このように生成された染毛組成物の噴霧は、遮蔽板３０の近位端において歯３１によって露出された髪の根元領域を被覆し、一方、遮蔽板の残りの部分は染毛組成物の噴霧がユーザーの頭皮を透過するのを有効に妨げる。噴霧剤容器１０内の染毛組成物が無くなったら、筐体４０、付属装置２０、及び遮蔽板３０を分解して新しい噴霧剤容器１０に取り付けることができる。
【０１７９】
図６〜１０に示される染毛剤塗布装置もまた、図１〜５の塗布装置と基本的に同じ部品で構成されている、すなわち、噴霧剤容器１１０（図１０）、噴霧剤容器の一端に取り付けられた付属装置１２０、付属装置によって搬送される遮蔽板１３０、噴霧剤容器１１０を囲み、塗布装置をつかみかつ操作するための取っ手の役割を果たす外部筐体１４０を備える。
【０１８０】
図６〜１０に示された塗布装置の、図１〜５に示された塗布装置との主な違いは、外部筐体１４０と付属装置１２０が円柱構造ではなく、塗布装置を操作する際塗布装置をより快適に握れるように、更に塗布装置に対しより快い外観を与えられるように角の丸い概ね正方形の構造を有している。その他の点では、図６〜１０に示された塗布装置は、図１〜５について前述した方法と実質的に同じ方法で構成され使用される。
【０１８１】
２つの好適な実施形態に係わる塗布装置を説明してきたが、これらは単に例示目的で示されたに過ぎず、発明には他にも多くの変形例や応用例がありうることが理解されるであろう。例えば、ヘアダイを噴霧状に排出する噴霧剤容器を用いる代わりに、押しボタン２６が、容器内の発射用流体にヘアダイの噴霧を生成させるバルブを開くのではなくヘアダイの噴霧をくみ出すのに有効なポンプ式容器を用いてもよい。
【０１８２】
また、押しボタンは付属装置上ではなく容器の側壁上にあってもよい。更に、遮蔽板の歯は容器の縦軸に対して非平行であってもよく、例えば、９０°又はそれ以下であってよい。本明細書に記載された塗布装置は、染毛に適した任意の染毛組成物、好ましくは人の髪の局所領域を「タッチアップ」するのに適した染毛組成物、より好ましくは対象の生え際に沿って髪をタッチアップするのに適した染毛組成物を収容する。
【０１８３】
染毛組成物は、適切な担体（例えば、染毛組成物を噴霧状に形成するための担体）を用いて配合された任意の染毛剤（顔料）を含んでもよい。好ましくは、染毛組成物は一時染毛用である。
【０１８４】
本明細書に記載された塗布装置は任意の適切な染毛組成物を収容してもよいが、本発明者は本発明の上記及びその他の実施形態の脈絡で用いられた場合に特に有用な染毛剤、染毛配合物、及び染毛組成物を開発した。
【０１８５】
第３の追加説明
本発明の実施形態の一態様によれば、染毛剤塗布装置が提供される。当該染毛剤塗布装置は、一定の量の染毛組成物を収容し、その一端に染毛組成物を排出する排出口を備える容器と、容器の一端から外に突き出た遮蔽板とを含む。
【０１８６】
遮蔽板は狭い間隔で配置された複数の歯を備える。複数の歯は、染毛組成物が歯の間の空間を通過する髪の根元領域を被覆するように、と同時に複数の歯が染毛組成物が対象の頭皮に達するのを実質的に妨げるように、歯の間の空間を通過する髪の根元領域を有する対象の頭皮に対して押しつけられる内面と、容器から排出された染毛組成物の噴霧に対して露出される外面とを有する。上記の塗布装置は、個人の髪の生え際に沿って髪をタッチアップするのに特に有用である。
【０１８７】
本明細書で使用されている「タッチアップ」という語句は、すばやく簡潔な染毛を表す。この語句は更に、髪の局所領域、特に根元領域又はその一部などの白髪の局所領域の着色を表す。「根元領域」という語句は、頭皮に最も近い髪の部分を表す。本発明の実施形態によれば、遮蔽板は付属装置によって容器の端部に搬送され、容器はノズルを介して染毛組成物を噴霧状に排出する噴霧剤容器である。
【０１８８】
本明細書で使用されている「噴霧剤容器」という語句は、その中に収容された組成物を噴霧状に放出するのに適切な任意の容器を表す。例えば、容器は圧力のかかった組成物の内圧に耐えうるものでなければならず、ノズルは逃げるように圧力のかかった組成物を噴霧状に逃がすように構成されなければならない。いくつかの実施形態において、上記の付属装置はノズルと整合する開口を備えている。
【０１８９】
本発明の実施形態によれば、上記の付属装置は更に、ノズルを介した染毛組成物の排出を制御する押しボタンを備える。いくつかの実施形態において、ノズルと整合する付属装置の上記の開口は、開口を介して押しボタンに到達できるように、遮蔽板と押しボタンの間に位置している。
【０１９０】
本発明の実施形態によれば、押しボタンと開口は、遮蔽板の方へ傾いた付属装置の外面上に位置する。本発明の実施形態によれば、遮蔽板の、間隔をおいて配置された歯は、容器の縦軸に対して平行である。好ましくは、歯は、容器の縦軸から横に離れた概ね直線的な配列で並べられる。
【０１９１】
本発明の実施形態によれば、歯の幅、厚さ、及び間隔は、それぞれ２ｍｍ未満である。本発明の実施形態によれば、歯はそれぞれの外端に向かって先細りである。本発明の実施形態によれば、塗布装置は更に、上記の容器を囲み、塗布装置をつかみかつ操作するための取っ手の役割を果たす外部筐体を備える。外部筐体は、手で持つのに適した任意の形状を持っていてもよい。
【０１９２】
本発明の実施形態によれば、外部筐体と容器は共に円柱状である。本発明の別の実施形態によれば、容器は円柱状であり、外部筐体は非円柱状である。
【０１９３】
本発明の１実施形態によれば、染毛剤塗布装置が提供される。当該染毛剤塗布装置は、一定の量の染毛組成物を収容し、その一端に当該染毛組成物を排出する排出口を有する容器と、当該排出口を備えた容器の端部に取り付けられ、遮蔽板を含む付属装置とを備える。当該遮蔽板は間隔をおいて配置された複数の歯を備える。これら複数の歯は、対象の髪の間を通過して歯の間を通過する髪の根元領域を露出させ、その一方で、染毛組成物が対象の頭皮に透過するのを実質的に妨げる。このような塗布装置は、対象の髪の生え際に沿って髪をタッチアップするのに特に有用である。
【０１９４】
本発明のいくつかの実施形態によれば、本明細書に記載した染毛組成物はそれぞれ、一時染毛用染毛組成物、及び／又は白髪着色用染毛組成物として特定される。本発明のいくつかの実施形態によれば、本明細書に記載した染毛組成物はそれぞれ、個人の髪の生え際に沿って髪をタッチアップするための染毛組成物として特定される。
【０１９５】
本発明の１実施形態において、本明細書に記載された染毛組成物はいずれも、組成物を髪に排出する塗布装置に収容され、前述のように、染毛用染毛組成物として特定される。組成物を髪に塗布するのに適した任意の塗布装置を用いてよい。典型的な塗布装置として、芯型塗布装置、スクイズボトル、噴霧剤容器、櫛形塗布装置、液滴ディスペンサ、及びポンプ式塗布装置があるがこれらに限定されない。
【０１９６】
本明細書で使用されている「芯型塗布装置」という語句は、一定の量の液体組成物を吸収する芯を備え、組成物を吸収した芯を面に接触させることによって組成物を面に塗布する塗布装置を含む。芯に吸収される組成物の量は、例えば、芯を容器内に収容された一定の量の組成物の中に浸すことによって、又は芯の一部を容器内の組成物と継続的に接触させることによって補充することができる。組成物は芯が吸収することによって芯に引き込まれる。組成物を収容する容器は、芯と共に塗布装置の構成要素の役割を果たしてもよい。
【０１９７】
本明細書で使用されている「芯」という用語は、液体を吸収でき、当該液体をその表面から逃がすことができる製造品を表す。
【０１９８】
本明細書で使用されている「スクイズボトル」という語句は、組成物を収容する容器を備えた塗布装置であって、当該容器が少なくとも１つの柔軟壁を有し、当該柔軟壁に力を加える（例えば、搾る）ことによって組成物が容器から強制的に排出される塗布装置を含む。通常、そのような容器は、組成物が（容器の柔軟壁に力を加えることによって生成された圧力などの）一定の圧力の下で当該容器から出るのを可能にし、一方そのような圧力がかからなければ組成物を容器から出さないようにするバルブを備えている。
【０１９９】
本明細書で使用されている「櫛形塗布装置」という語句は、一定の量の組成物を付着させた櫛又はブラシを含む塗布装置であって、組成物は当該櫛又はブラシを表面に接触させることによって当該表面に塗布される塗布装置を含む。当該櫛又はブラシに付着した組成物の量は、当該櫛又はブラシを、容器に収容された組成物に接触させることによって補充することができる。この容器を当該塗布装置の構成要素としてもよい。
【０２００】
本明細書で使用されている「液滴ディスペンサ」という語句は、液体組成物を収容する容器を備えた塗布装置であって、当該容器は小さな開口を有し、当該開口は少量の組成物が当該容器の中から当該開口を介して容器の外面まで通過させ、これによって容器の外面上に少量の組成物（具体的には、液滴）が得られる塗布装置を含む。組成物の液滴は、当該液滴を表面に接触させることによって当該表面に塗布することができる。当該容器内の液体組成物は、塗布装置の構成要素である大きな容器に収容された大量の組成物から補充することができる。
【０２０１】
本明細書で定義されている「ポンプ式塗布装置」という用語は、組成物を収容しポンプが取り付けられた容器を備えた塗布装置であって、組成物は当該ポンプによってかけられた圧力によって容器から強制的に放出される塗布装置を含む。当該容器は、組成物が当該ポンプによってかけられた圧力の下で当該容器から出るのを可能にし、そのような圧力がない場合は組成物が容器から放出されないようにするバルブを含んでいてもよい。当該ポンプによってかけられる圧力は、任意の手段で生成されてよい。任意の手段には、手動（例えば、スポイト）、ばね、電動モーター、圧力のかかった流体などあげられるが、それらに限定されない。
【０２０２】
本明細書で塗布装置を示すものとして使用されている「噴霧剤容器」という語句は、上記において定義されたように、噴霧剤容器を含む塗布装置を含む。噴霧剤容器として示される塗布装置は、噴霧剤容器以外に追加的な構成要素を含んでもよい。
【０２０３】
染毛組成物が白髪の染毛に有用な組成物である場合、当該組成物はそのような組成物として特定されるのが好ましい。染毛組成物が一時染毛に有用な組成物である場合、当該組成物はそのような組成物として特定されるのが好ましい。染毛組成物がユーザーの髪の生え際に沿って髪をタッチアップするのに有用な組成物である場合、当該組成物はそのような組成物として特定されるのが好ましい。上述の塗布装置、染毛剤、及び染毛組成物は、組み合わせて用いられたとき特に効果的である。
【０２０４】
本発明の別の態様によれば、上述のような塗布装置が提供される。当該塗布装置では、そこに収容される染毛組成物が、適切な担体と、第１の染毛剤及び第２の染毛剤からなる群から選択される少なくとも１つの染毛剤を含む。当該第１の染毛剤は、そこに鉄イオンを結合させ、実質的に非結合の鉄イオンを含まないタンニン酸の精製重合体を含み、当該第２の染毛剤は還元性炭水化物とアミノ酸との縮合重合体を含む。これらの染毛剤は本明細書で説明されている。
【０２０５】
組成物の特徴は上記の通りである。好ましくは、組成物を噴霧状に放出する塗布装置を含む実施形態において、そこに収容される組成物は上述のように噴霧状である。
【０２０６】
本発明の別の態様において、上記のような塗布装置が提供される。当該塗布装置において、そこに収容される染毛組成物は少なくとも１種類の染毛剤と担体とを含み、当該担体は、上記のように、疎水性揮発性溶媒、水、グリコール、及び界面活性剤を含む。
【０２０７】
組成物の特徴は上記の通りである。好ましくは、組成物を噴霧状に放出する塗布装置を含む実施形態において、そこに収容される組成物は上述のように噴霧状である。
【０２０８】
本発明の別の態様において、上記の担体と少なくとも一種類の上記の染毛剤とを含む染毛組成物が提供される。
【０２０９】
当該組成物の任意かつ好ましい特徴は上記の通りである。本発明の好ましい実施形態において、上記の塗布装置は、上記の担体と少なくとも一種類の上記の染毛剤を共に含んだ染毛組成物と組み合わされる。
【０２１０】
本発明の追加的な目的、効果、及び新規の特徴は、限定されることを意図しない以下の例を考察した当業者には明らかになるであろう。更に、上述されかつ以下の特許請求の範囲に含まれる本発明の様々な実施形態及び態様はそれぞれ、以下の例において実験的な裏付けを得る。
【０２１１】
理解しやすいように別々の実施形態の文脈で示された本発明の特定の特徴は、単一の実施形態の中で組み合わされてもよいことを理解されたい。逆に、簡潔にするために、単一の実施形態の文脈で示された本発明の様々な特徴は、別々に、又は任意の適切なサブコンビネーションとして示されてもよい。
【０２１２】
本発明をその特定の実施形態と関連付けて説明してきたが、多くの代替案、変形例、変更が当業者にとって明白であろうことは明らかである。よって、添付の請求項の趣旨及び広い範囲に収まるそのような全ての代替案、変形例、及び変更を含むことが意図される。本明細書において言及された全ての出版物、特許、及び特許出願は、各出版物、特許、又は特許出願が参照によって本明細書に組み込まれるものとして具体的にかつ個別に示されたと同じ程度にその全体が本明細書に参照によって組み込まれる。また、本出願におけるいずれの参照の引用又は識別も、かかる参照が本発明の先行技術として利用可能であることの承認と解釈されてはならない。
【図１】
2014501538.tif 000003
【図２】
2014501538.tif 000004
【図３】
2014501538.tif 000005
【図４】
2014501538.tif 000006
【図５】
2014501538.tif 000007
【図６】
2014501538.tif 000008
【図７】
2014501538.tif 000009
【図８】
2014501538.tif 000010
【図９】
2014501538.tif 000011
【図１０】
2014501538.tif 000012
【図１１Ａ】
2014501538.tif 000013
【図１１Ｂ】
2014501538.tif 000014
【図１１Ｃ】
2014501538.tif 000015
【図１２】
2014501538.tif 000016
【図１３Ａ】
2014501538.tif 000017
【図１３Ｂ】
2014501538.tif 000018
【図１３Ｃ】
2014501538.tif 000019
【図１３Ｄ】
2014501538.tif 000020
【図１３Ｅ】
2014501538.tif 000021
【図１４】
2014501538.tif 000022
【図１５Ａ】
2014501538.tif 000023
【図１５Ｂ】
2014501538.tif 000024
【図１５Ｃ】
2014501538.tif 000025
【図１６】
2014501538.tif 000026
【図１７Ａ】
2014501538.tif 000027
【図１７Ｂ】
2014501538.tif 000028
【図１８Ａ】
2014501538.tif 000029
【図１８Ｂ】
2014501538.tif 000030
【図１８Ｃ】
2014501538.tif 000031
【図１９Ａ】
2014501538.tif 000032
【図１９Ｂ】
2014501538.tif 000033
【図２０】
2014501538.tif 000034
【図２１Ａ】
2014501538.tif 000035
【図２１Ｂ】
2014501538.tif 000036
【図２１Ｃ】
2014501538.tif 000037
【図２１Ｄ】
2014501538.tif 000038
【図２２Ａ】
2014501538.tif 000039
【図２２Ｂ】
2014501538.tif 000040
【図２３Ａ】
2014501538.tif 000041
【図２３Ｂ】
2014501538.tif 000042
【図２３Ｃ】
2014501538.tif 000043
【図２３Ｄ】
2014501538.tif 000044
【図２４Ａ】
2014501538.tif 000045
【図２４Ｂ】
2014501538.tif 000046
【図２４Ｃ】
2014501538.tif 000047
【図２４Ｄ】
2014501538.tif 000048
【図２４Ｅ】
2014501538.tif 000049
【図２４Ｆ】
2014501538.tif 000050
【図２５Ａ】
2014501538.tif 000051
【図２５Ｂ】
2014501538.tif 000052
【図２６Ａ】
2014501538.tif 000053
【図２６Ｂ】
2014501538.tif 000054
【図２６Ｃ】
2014501538.tif 000055
【図２７】
2014501538.tif 000056
【図２８】
2014501538.tif 000057
【図２９】
2014501538.tif 000058
【図３０Ａ】
2014501538.tif 000059
【図３０Ｂ】
2014501538.tif 000060
【国際調査報告】
2014501538.tif 000061
2014501538.tif 000062
2014501538.tif 000063